(57)【要約】【課題】ブレーキホールド制御の実行中に車両の運転者によりアクセルペダルが踏み込み操作されたときの車両の発進時における、運転者の車両運転操作の評価結果が、運転者に対して不満感を与えるのを抑制する。【解決手段】運転評価手段（運転評価部２０ｅ）が、評価対象値が所定閾値以下であるときには、運転者の車両運転操作の評価として肯定的な評価を行う一方、上記評価対象値が上記所定閾値よりも大きいときには、否定的な評価を行うように構成され、閾値変更手段（閾値変更部２０ｇ）が、車両の停車中におけるブレーキホールド制御の実行中にアクセルペダルが踏み込み操作されたときに、該踏み込み操作の開始から所定期間の間、上記所定閾値を大きい側に変更する閾値変更処理を実行する。【選択図】図２
2018039426.tif 000002
【特許請求の範囲】
【請求項１】
車両の加速度に基づく評価対象値に基づいて、該車両の運転者の車両運転操作を評価する運転評価手段と、
上記運転評価手段による評価結果を、上記車両の車室内において運転者が視認可能な位置に設けられたディスプレイに表示させる表示制御手段と、
上記車両の停車中において、所定のブレーキホールド条件が成立したときに、該車両のブレーキペダルが非操作状態であっても、該車両の車輪を制動するブレーキ装置を制動状態に維持するブレーキホールド制御を実行するとともに、該ブレーキホールド制御の実行中に上記運転者により該車両のアクセルペダルが踏み込み操作されたときには、上記ブレーキ装置の制動状態を解除するブレーキ装置制御手段と、
上記アクセルペダルの踏み込み操作状態に応じて、上記車両を駆動する駆動源の作動を制御する駆動源制御手段とを備えた、車両の制御装置であって、
上記運転評価手段は、上記評価対象値が所定閾値以下であるときには、上記運転者の車両運転操作の評価として肯定的な評価を行う一方、上記評価対象値が上記所定閾値よりも大きいときには、否定的な評価を行うように構成され、
上記車両の停車中における上記ブレーキ装置制御手段による上記ブレーキホールド制御の実行中に上記アクセルペダルが踏み込み操作されたときに、該踏み込み操作の開始から所定期間の間、上記所定閾値を大きい側に変更する閾値変更処理を実行する閾値変更手段を更に備えていることを特徴とする車両の制御装置。
【請求項２】
請求項１記載の車両の制御装置において、
上記駆動源は、エンジンであり、
上記駆動源制御手段は、上記車両が停車していることを含む所定の自動停止条件が成立したときに、上記エンジンを自動停止させるとともに、上記エンジンが自動停止されている、上記車両の停車中において、上記ブレーキ装置制御手段により上記ブレーキホールド制御が実行された場合には、上記アクセルペダルが踏み込み操作されたときに、該エンジンを再始動させるように構成され、
上記閾値変更手段は、上記エンジンが自動停止されている、上記車両の停車中において、上記ブレーキ装置制御手段による上記ブレーキホールド制御の実行中に上記アクセルペダルが踏み込み操作されたときに、上記閾値変更処理を実行するように構成されていることを特徴とする車両の制御装置。
【請求項３】
請求項１又は２記載の車両の制御装置において、
上記車両は、自動変速機を有し、
上記閾値変更手段は、上記自動変速機が動力伝達状態にある、上記車両の停車中において、上記ブレーキ装置制御手段による上記ブレーキホールド制御の実行中に上記アクセルペダルが踏み込み操作されたときに、上記閾値変更処理を実行するように構成されていることを特徴とする車両の制御装置。
【請求項４】
請求項１〜３のいずれか１つに記載の車両の制御装置において、
上記閾値変更手段は、上記車両が停車している路面の勾配を検出する勾配検出手段により検出された登り勾配が所定値未満であるときの上記車両の停車中において、上記ブレーキ装置制御手段による上記ブレーキホールド制御の実行中に上記アクセルペダルが踏み込み操作されたときに、上記閾値変更処理を実行するように構成されていることを特徴とする車両の制御装置。
【請求項５】
請求項１〜４のいずれか１つ記載の車両の制御装置において、
上記閾値変更手段は、上記車両が停車している路面の勾配を検出する勾配検出手段により検出された降り勾配が、予め設定された設定値以上であるときの上記車両の停車中において、上記ブレーキ装置制御手段による上記ブレーキホールド制御の実行中に上記アクセルペダルが踏み込み操作されたときに、上記閾値変更処理を実行するように構成されていることを特徴とする車両の制御装置。
【発明の詳細な説明】
【技術分野】
【０００１】
本発明は、車両を運転する運転者の車両運転操作を評価して、その評価結果をディスプレイに表示するようにした、車両の制御装置に関する技術分野に属する。
【背景技術】
【０００２】
従来より、車両の運転者の車両運転操作を評価して、その評価結果をディスプレイに表示するようにした装置が知られている（例えば、特許文献１参照）。この装置では、車両の加速度の変化量（躍度）に基づいて、上記運転者の車両運転操作を評価する。
【０００３】
また、例えば特許文献２に示されているように、車両の停車中に、該車両のブレーキペダルが非操作状態であっても、該車両のブレーキ装置を制動状態に維持するブレーキホールド制御を実行し、該車両のアクセルペダルが踏み込み操作されたときに、上記ブレーキ装置の制動状態を解除するブレーキホールドシステムが知られている。
【先行技術文献】
【特許文献】
【０００４】
【特許文献１】特許第５７９６３１５号公報
【特許文献２】特開２００３−００２０８７号公報
【発明の概要】
【発明が解決しようとする課題】
【０００５】
ところで、上記特許文献２のようなブレーキホールドシステムが採用された車両において、上記特許文献１のように、運転者の車両運転操作を評価するようにすることが考えられる。
【０００６】
しかし、ブレーキホールドシステムが採用された車両では、ブレーキホールド制御の実行中に運転者によりアクセルペダルが踏み込み操作されたときの発進時においては、ブレーキホールドシステムが採用されていない車両の発進時、又は、ブレーキホールドシステムが採用された車両でブレーキホールド制御の非実行中にアクセルペダルが踏み込み操作されたときの発進時に対して、アクセルペダルの踏み込み操作が同じであっても、車両の加速度が急上昇し易くなる。
【０００７】
すなわち、ブレーキホールドシステムが採用されていない車両（自動変速機を有しているものとする）では、シフトレバーが走行レンジ位置（特にＤレンジ位置）にある状態（自動変速機が動力伝達状態にある状態）で停車していた場合、その車両の発進に際して運転者がブレーキペダルの踏み込みを解除したときに、自動変速機のクリープトルクによって車両が動き始めるため、その車両の発進時における加速度の上昇は、上記クリープトルクによる加速度の上昇と、その後の運転者のアクセルペダルの踏み込みによる加速度の上昇との２段階で行われる。ブレーキホールドシステムが採用された車両において、ブレーキホールド制御の非実行中にアクセルペダルが踏み込み操作されたときの車両の発進時も同様である。
【０００８】
これに対し、ブレーキホールドシステムが採用された車両において、運転者がブレーキペダルの踏み込みを解除したときにブレーキホールド制御が実行された場合、自動変速機のクリープトルクによって車両が動くようなことはなく、このため、その車両の発進時における加速度の上昇は、運転者のアクセルペダルの踏み込みによる加速度の上昇という１段階のみで行われる。この結果、ブレーキホールド制御の実行中にアクセルペダルが踏み込み操作されたときの車両の発進時においては、車両の加速度が急激に上昇し易くなる。
【０００９】
したがって、ブレーキホールド制御の実行中にアクセルペダルが踏み込み操作されたときの車両の発進時に、運転者の車両運転操作を評価した場合、運転者が急激なアクセル操作をしていなくても、そのようにしていると判断される場合があり、このため、運転者の車両運転操作の評価として否定的な評価がディスプレイに表示される傾向にある。この結果、その否定的な評価を見た運転者は、急激なアクセル操作をした覚えはないので、その評価に対して不満感を感じてしまう。
【００１０】
本発明は、斯かる点に鑑みてなされたものであり、その目的とするところは、ブレーキホールド制御の実行中に車両の運転者によりアクセルペダルが踏み込み操作されたときの車両の発進時における、運転者の車両運転操作の評価結果が、運転者に対して不満感を与えるのを抑制しようとすることにある。
【課題を解決するための手段】
【００１１】
上記の目的を達成するために、本発明では、車両の加速度に基づく評価対象値に基づいて、該車両の運転者の車両運転操作を評価する運転評価手段と、上記運転評価手段による評価結果を、上記車両の車室内において運転者が視認可能な位置に設けられたディスプレイに表示させる表示制御手段と、上記車両の停車中において、所定のブレーキホールド条件が成立したときに、該車両のブレーキペダルが非操作状態であっても、該車両の車輪を制動するブレーキ装置を制動状態に維持するブレーキホールド制御を実行するとともに、該ブレーキホールド制御の実行中に上記運転者により該車両のアクセルペダルが踏み込み操作されたときには、上記ブレーキ装置の制動状態を解除するブレーキ装置制御手段と、上記アクセルペダルの踏み込み操作状態に応じて、上記車両を駆動する駆動源の作動を制御する駆動源制御手段とを備えた、車両の制御装置を対象として、上記運転評価手段は、上記評価対象値が所定閾値以下であるときには、上記運転者の車両運転操作の評価として肯定的な評価を行う一方、上記評価対象値が上記所定閾値よりも大きいときには、否定的な評価を行うように構成され、上記車両の停車中における上記ブレーキ装置制御手段による上記ブレーキホールド制御の実行中に上記アクセルペダルが踏み込み操作されたときに、該踏み込み操作の開始から所定期間の間、上記所定閾値を大きい側に変更する閾値変更処理を実行する閾値変更手段を更に備えている、という構成とした。
【００１２】
上記の構成により、車両の停車中におけるブレーキホールド制御の実行中にアクセルペダルが踏み込み操作されたときには、該踏み込み操作の開始から所定期間の間、所定閾値が大きい側に変更されるので、その所定期間の間は、否定的な評価がされ難くなる。この結果、ブレーキホールド制御の実行中にアクセルペダルが踏み込み操作されたときの車両の発進時における、運転者の車両運転操作の評価結果が、運転者に対して不満感を与えるのを抑制することができる。
【００１３】
上記車両の制御装置の一実施形態では、上記駆動源は、エンジンであり、上記駆動源制御手段は、上記車両が停車していることを含む所定の自動停止条件が成立したときに、上記エンジンを自動停止させるとともに、上記エンジンが自動停止されている、上記車両の停車中において、上記ブレーキ装置制御手段により上記ブレーキホールド制御が実行された場合には、上記アクセルペダルが踏み込み操作されたときに、該エンジンを再始動させるように構成され、上記閾値変更手段は、上記エンジンが自動停止されている、上記車両の停車中において、上記ブレーキ装置制御手段による上記ブレーキホールド制御の実行中に上記アクセルペダルが踏み込み操作されたときに、上記閾値変更処理を実行するように構成されている。
【００１４】
すなわち、アクセルペダルの踏み込み操作からエンジンの再始動が完了するまでには時間がかかるために、エンジンが自動停止されている、車両の停車中におけるブレーキホールド制御の実行中にアクセルペダルが踏み込み操作されたときには、車両がより一層急激に発進し易くて、運転者の車両運転操作の評価が特に悪化し易くなる。このように評価が特に悪化し易くなる場合に、閾値変更処理を実行することで、本発明の作用効果を特に有効に発揮させることができる。
【００１５】
上記車両の制御装置の別の実施形態では、上記車両は、自動変速機を有し、上記閾値変更手段は、上記自動変速機が動力伝達状態にある、上記車両の停車中において、上記ブレーキ装置制御手段による上記ブレーキホールド制御の実行中に上記アクセルペダルが踏み込み操作されたときに、上記閾値変更処理を実行するように構成されている。
【００１６】
上記車両の制御装置の更に別の実施形態では、上記閾値変更手段は、上記車両が停車している路面の勾配を検出する勾配検出手段により検出された登り勾配が所定値未満であるときの上記車両の停車中において、上記ブレーキ装置制御手段による上記ブレーキホールド制御の実行中に上記アクセルペダルが踏み込み操作されたときに、上記閾値変更処理を実行するように構成されている。
【００１７】
上記車両の制御装置の更に別の実施形態では、上記閾値変更手段は、上記車両が停車している路面の勾配を検出する勾配検出手段により検出された降り勾配が、予め設定された設定値以上であるときの上記車両の停車中において、上記ブレーキ装置制御手段による上記ブレーキホールド制御の実行中に上記アクセルペダルが踏み込み操作されたときに、上記閾値変更処理を実行するように構成されている。
【００１８】
これらの実施形態のように、運転者の車両運転操作の評価が悪化し易くなる場合に、閾値変更処理を実行することで、本発明の作用効果を有効に発揮させることができる。
【発明の効果】
【００１９】
以上説明したように、本発明の車両の制御装置によると、運転評価手段が、車両の加速度に基づく評価対象値が所定閾値以下であるときには、上記車両の運転者の車両運転操作の評価として肯定的な評価を行う一方、上記所定の評価対象値が上記所定閾値よりも大きいときには、否定的な評価を行うように構成され、上記車両の停車中におけるブレーキホールド制御の実行中にアクセルペダルが踏み込み操作されたときに、該踏み込み操作の開始から所定期間の間、上記所定閾値を大きい側に変更する閾値変更処理を実行する閾値変更手段を備えたことにより、ブレーキホールド制御の実行中にアクセルペダルが踏み込み操作されたときの車両の発進時における、運転者の車両運転操作の評価結果が、運転者に対して不満感を与えるのを抑制することができる。
【図面の簡単な説明】
【００２０】
【図１】本発明の実施形態に係る制御装置が搭載された車両を示す概略図である。
【図２】上記制御装置の制御系の構成を示すブロック図である。
【図３】車両の加速度及び躍度と、運転者の車両運転操作の評価との関係を示すグラフである。
【図４】メータ表示器を示す、運転者側（車両後側）から見た図である。
【図５】メータ表示器における、運転者の車両運転操作の評価結果を表示するディスプレイを示す図である。
【図６】ブレーキホールド制御の実行中にアクセルペダルが踏み込み操作されたときの車両の発進時における、車両の加速度、該加速度の変化量（躍度）、ブレーキ装置への油圧、及び、アクセル開度の変化を示すタイムチャートである。
【図７】ブレーキホールド制御の非実行中にアクセルペダルが踏み込み操作されたときの車両の発進時における、車両の加速度、ブレーキ装置への油圧、及び、アクセル開度の変化を示すタイムチャートである。
【図８】コントロールユニットによる、車両の停車から発進にかけての処理動作の一部を示すフローチャートである。
【図９】コントロールユニットによる、車両の停車から発進にかけての処理動作の残部を示すフローチャートである。
【図１０】参考形態１を示す図２相当図である。
【図１１】参考形態２を示す図２相当図である。
【図１２】参考形態３を示す図２相当図である。
【発明を実施するための形態】
【００２１】
以下、本発明の実施形態を図面に基づいて詳細に説明する。
【００２２】
図１は、本発明の実施形態に係る制御装置（後述のコントロールユニット２０）が搭載された車両Ｃ（本実施形態では、自動車）を示す。この車両Ｃは、該車両Ｃを駆動する駆動源としてのエンジン１と、該エンジン１にて生成されたトルク（動力）が入力される自動変速機２とを有している。エンジン１及び自動変速機２は、車両Ｃの前部に位置するエンジンルーム内に搭載されている。エンジン１の出力軸（クランク軸）は、車幅方向に延びていて、自動変速機２の入力軸（車幅方向に延びる）と連結されている。尚、駆動源としては、エンジン１に限らず、電動モータ等であってもよい。
【００２３】
自動変速機２からの動力は差動装置９に伝達され、この差動装置９に伝達された動力が、左右のドライブシャフト１０を介して、左右の前輪１１ａをそれぞれ駆動するようになっている。このように前輪１１ａは、自動変速機２から出力されたトルク（動力）により駆動される駆動輪である。したがって、本実施形態では、車両ＣはＦＦ車である。尚、車両Ｃは、ＦＦ車に限らず、ＦＲ車であってもよい。
【００２４】
車両Ｃの全ての車輪１１（前輪１１ａ及び後輪１１ｂ）には、該各車輪１１を制動するブレーキ装置１５がそれぞれ設けられている。各車輪１１のブレーキ装置１５は、該ブレーキ装置１５に供給される油圧によって作動する。
【００２５】
車両Ｃにおける上記エンジンルームの車両後側に位置する車室内の前部には、運転席シート７と助手席シート８とが車幅方向に並んで設けられている。これら運転席シート７と助手席シート８との間には、車両Ｃの運転者が自動変速機２の変速レンジを切り換えるためのシフトレバー１６が設けられている。
【００２６】
上記車室における運転席シート７及び助手席シート８の車両前側（上記車室の車両前側端）には、図示を省略するインストルメントパネルが車幅方向に延びるように設けられ、このインストルメントパネルにおける運転席シート７の車両前側の部分に、ステアリングシャフト１３を回転自在に支持するステアリングコラム（図示せず）が設けられている。このステアリングシャフト１３の車両後側の端部に、車両Ｃの運転者が操作するステアリングホイール１２が設けられている。
【００２７】
また、上記インストルメントパネルにおける上記ステアリングコラムの上側の部分（車両Ｃの車室内において運転者が視認可能な位置）には、後述の評価結果を表示するディスプレイ６０（図４及び図５参照）を含むメータ表示器６が配設されている。
【００２８】
車両Ｃには、後述の入力信号に基づいて、エンジン１、自動変速機２、各ブレーキ装置１５、及びディスプレイ６０の作動を制御するコントロールユニット２０が設けられている。このコントロールユニット２０は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００２９】
コントロールユニット２０には、車両Ｃの運転者によるアクセルペダルの踏み込み量（アクセル開度）を検出するアクセル開度センサ２１からの信号と、車両Ｃの各車輪１１にそれぞれ設けられて該各車輪１１の車輪速を検出する車輪速センサ２２からの信号と、上記運転者によるステアリングホイール１２の操舵角を検出する操舵角センサ２３からの信号と、上記運転者によるブレーキペダルの踏み込み量を検出するブレーキセンサ２４からの信号と、車両Ｃが位置する路面の勾配を検出する勾配センサ２５からの信号と、車両Ｃのシフトレバー１６のレンジ位置（Ｄレンジ位置、Ｒレンジ位置、Ｎレンジ位置、Ｐレンジ位置等）を検出するレンジ位置センサ２６からの信号と、後述のブレーキホールド制御の実行を許可するか否かを運転者が選択操作する選択操作スイッチ２７からの信号とが入力されるようになっている。勾配センサ２５は、上記路面の登り勾配及び降り勾配の両方を検出可能なものであり、勾配センサ２５による路面の勾配（％）は、降り勾配ではマイナスの値を示し、登り勾配ではプラスの値を示す。
【００３０】
尚、車両Ｃの車速は、各車輪１１の車輪速センサ２２による各車輪１１の車輪速から求めることができるが、車両Ｃの車速を検出する車速センサを別途に設けてもよい。
【００３１】
コントロールユニット２０内には、エンジン１（駆動源）の作動を制御する駆動源制御手段としてのエンジン制御部２０ａと、自動変速機２の作動を制御する変速機制御部２０ｂと、ブレーキ装置制御手段としてのブレーキ装置制御部２０ｃと、加速度・躍度算出部２０ｄと、運転評価部２０ｅと、表示制御部２０ｆと、閾値変更部２０ｇとが設けられている。
【００３２】
エンジン制御部２０ａは、アクセル開度センサ２１によるアクセル開度（運転者によるアクセルペダルの踏み込み操作状態）に応じて、エンジン１の作動（つまり、エンジン１の生成トルク）を制御する。すなわち、エンジン制御部２０ａは、上記アクセル開度に応じて、エンジン１の吸気管に設けられたスロットル弁３１、エンジン１の複数の気筒が配設されたエンジン本体に設けられ、各気筒内に燃料を噴射する燃料噴射弁３２、該エンジン本体に設けられ、各気筒内に噴射された燃料を点火させる点火プラグ３３等の作動を制御する。
【００３３】
また、エンジン制御部２０ａは、車両Ｃが停車している（車両Ｃの車速が０である）ことを含む所定の自動停止条件が成立したときに、エンジン１を自動停止（アイドルストップ）させる。上記所定の自動停止条件は、本実施形態では、車両Ｃが停車しているとともに、選択操作スイッチ２７がＯＮである（上記運転者が後述のブレーキホールド制御の実行を許可している）か、又は、車両Ｃが停車しているとともに、選択操作スイッチ２７がＯＦＦでありかつブレーキペダルが踏み込み操作されているという条件である。
【００３４】
そして、エンジン制御部２０ａは、エンジン１が自動停止されている、車両Ｃの停車中において、ブレーキ装置制御部２０ｃにより後述のブレーキホールド制御が実行された場合には、上記アクセルペダルが踏み込み操作されたときに、エンジン１を再始動させる一方、エンジン１が自動停止されている、車両Ｃの停車中において、選択操作スイッチ２７がＯＦＦである場合には、上記ブレーキペダルの踏み込みが解除されたとき（より詳細には、ブレーキペダルの踏み込み量が所定量以下になったとき）に、エンジン１を再始動させる。
【００３５】
変速機制御部２０ｂは、レンジ位置センサ２６によるレンジ位置が、前進走行レンジ位置（例えばＤレンジ位置）にあるとき、車両Ｃの走行状態（詳細には、アクセル開度センサ２１によるアクセル開度、及び、車両Ｃの車速）から、コントロールユニット２０のメモリに予め記憶した変速マップを用いて変速段を決定して、その決定した変速段になるように、自動変速機２に設けられた、クラッチ及びブレーキを含む複数の摩擦締結要素４１の締結及び解放を制御する。車両Ｃの停車中において、レンジ位置センサ２６によるレンジ位置が前進走行レンジ位置にあるとき、エンジン制御部２０ａにより複数の摩擦締結要素４１が１速を実現する締結又は解放状態とされ、このとき、自動変速機２は動力伝達状態にある。また、車両Ｃの停車中において、レンジ位置センサ２６によるレンジ位置がＲレンジ位置にあるとき、エンジン制御部２０ａにより複数の摩擦締結要素４１が後退速を実現する締結又は解放状態とされ、このときも自動変速機２は動力伝達状態にある。
【００３６】
ブレーキ装置制御部２０ｃは、ブレーキセンサ２４によるブレーキペダルの踏み込み量に応じて、各車輪１１のブレーキ装置１５への油圧を制御する。また、ブレーキ装置制御部２０ｃは、車両Ｃの停車中において、所定のブレーキホールド条件が成立したときに、車両Ｃのブレーキペダルが非操作状態であっても車両Ｃの全車輪１１のブレーキ装置１５を制動状態に維持するブレーキホールド制御を実行するとともに、該ブレーキホールド制御の実行中に上記運転者により車両Ｃのアクセルペダルが踏み込み操作されたとき（アクセル開度センサ２１により車両Ｃのアクセルペダルの踏み込み操作が検出されたとき）に、該ブレーキホールド制御の実行により制動状態にあるブレーキ装置１５の該制動状態を解除する。尚、上記ブレーキホールド制御の実行時に、駆動輪（本実施形態では、前輪）のブレーキ装置１５のみを制動状態にしてもよい。
【００３７】
上記所定のブレーキホールド制御条件は、本実施形態では、選択操作スイッチ２７がＯＮであり（上記運転者がブレーキホールド制御の実行を許可している）、かつ、上記運転者が車両Ｃの停車中にブレーキペダルの踏み込みを解除した（より詳細には、ブレーキペダルの踏み込み量が上記所定量以下になった）という条件である。尚、上記所定のブレーキホールド制御条件として、選択操作スイッチ２７がＯＮであり、かつ、上記運転者が車両Ｃの停車中にブレーキペダルの踏み込みを解除し、かつ、レンジ位置センサ２６によるレンジ位置が走行レンジ位置（つまり、自動変速機２のクリープトルクによって車両Ｃが動く可能性があるレンジ位置（特に前進走行レンジ位置））にあるという条件としてもよい。
【００３８】
運転評価部２０ｅは、車両Ｃの加速度（車両Ｃの前後方向の加速度）に基づく評価対象値に基づいて、上記運転者の車両運転操作を評価する。このことで、運転評価部２０ｅは、運転評価手段を構成することになる。本実施形態では、上記評価対象値は、車両Ｃの加速度をＧ（単位：ｍ／ｓ２）とし、該加速度Ｇの変化量（躍度）をＪ（単位：ｍ／ｓ３）としたとき、Ｊ／Ｇ（単位：ｓ−１）の絶対値とする。
【００３９】
本実施形態では、加速度・躍度算出部２０ｄが、各車輪１１の車輪速センサ２２による各車輪１１の車輪速から加速度Ｇを算出する。すなわち、加速度・躍度算出部２０ｄが、各車輪１１の車輪速から車両Ｃの車速を求め、その車速を微分して加速度Ｇを算出する。また、加速度・躍度算出部２０ｄが、その加速度Ｇを微分することで躍度Ｊを算出する。そして、運転評価部２０ｅが、加速度・躍度算出部２０ｄから加速度Ｇ及び躍度Ｊを入力して、｜Ｊ／Ｇ｜を算出することで、評価対象値を得る。尚、運転評価部２０ｅが、加速度・躍度算出部２０ｄから加速度Ｇを入力する代わりに、車両Ｃの加速度を検出する加速度センサを設けて、運転評価部２０ｅが、該加速度センサから加速度Ｇを入力するようにしてもよい。
【００４０】
本実施形態では、運転評価部２０ｅは、躍度Ｊを微分した値の符号が変化したとき、つまり、躍度Ｊがピークとなるタイミングで、上記評価対象値を算出する。
【００４１】
運転評価部２０ｅは、躍度Ｊがピークとなるタイミングで上記評価対象値を算出する毎に、該算出した評価対象値に基づいて、上記運転者の車両運転操作を評価する。具体的には、運転評価部２０ｅは、該算出した評価対象値が第１所定閾値以下であるときには、運転者の車両運転操作の評価として肯定的な評価を行う一方、該算出した評価対象値が上記第１所定閾値よりも大きいときには、否定的な評価を行う。
【００４２】
上記評価について、図３の２次元のグラフにより詳細に説明する。このグラフの横軸は、運転評価部２０ｅに入力された加速度Ｇであり、縦軸は、運転評価部２０ｅに入力された躍度Ｊである。ここでは、加速度Ｇ及び躍度Ｊは、正の値であるとする。
【００４３】
上記グラフ上に、上記評価対象値が算出されたときの加速度Ｇ及び躍度Ｊの値を、座標（Ｇ，Ｊ）としてプロットした場合、そのプロットした位置が、傾きが上記第１所定閾値となる第１基準線Ｌ１上、又は、該第１基準線Ｌ１よりも下側の領域（Ａ領域及びＢ領域）にあれば、運転評価部２０ｅは肯定的な評価を行う。一方、上記プロットした位置が、第１基準線Ｌ１よりも上側の領域（Ｃ１乃至Ｃ３領域）にあれば、運転評価部２０ｅは否定的な評価を行う。
【００４４】
Ａ領域では、加速度Ｇ及び躍度Ｊの両方が小さい値であって、車両Ｃが略一定速度で走行しているので、非常に良い評価とされる。Ｂ領域では、加速度Ｇが所定加速度Ｇ１よりも大きい値であるが、車両Ｃの乗員の体が揺れるほどには加速度Ｇが変化していない（躍度が小さい）ので、良い評価とされる。
【００４５】
一方、Ｃ１乃至Ｃ３領域では、車両Ｃの乗員の体が揺れるほどに加速度Ｇが大きく変化しているので、否定的な評価とされる。
【００４６】
本実施形態では、否定的な評価において、上記評価対象値の大きさによって、少し悪い評価、悪い評価、及び、非常に悪い評価に区別して評価する。すなわち、上記評価対象値が上記第１所定閾値よりも大きくかつ第２所定閾値（第１所定閾値よりも大きい値に設定される）以下であるときには、少し悪い評価とされ、上記評価対象値が上記第２所定閾値よりも大きくかつ第３所定閾値（第２所定閾値よりも大きい値に設定される）以下であるときには、悪い評価とされ、上記評価対象値が上記第３所定閾値よりも大きいときには、非常に悪い評価とされる。このことを上記グラフ上で言い換えると、上記プロットした位置が、第１基準線Ｌ１よりも上側でかつ第２基準線Ｌ２（第２基準線Ｌ２の傾きが上記第２所定閾値となる）以下のＣ１領域にあれば、少し悪い評価とされ、上記プロットした位置が、第２基準線Ｌ２よりも上側でかつ第３基準線Ｌ３（第３基準線Ｌ２の傾きが上記第３所定閾値となる）以下のＣ２領域にあれば、悪い評価とされ、上記プロットした位置が、第３基準線Ｌ３よりも上側のＣ３領域にあれば、非常に悪い評価とされる。尚、否定的な評価を、このように区別して評価しなくてもよい。この場合は、上記評価対象値と上記第１所定閾値とを対比すればよい。
【００４７】
本実施形態では、運転評価部２０ｅは、車両Ｃの加速度（車両の前後方向の加速度）に基づく評価対象値（以下、前後方向評価対象値という）に基づいて、上記運転者の車両運転操作を評価するだけでなく、車両Ｃの横加速度（車両の左右方向の加速度）に基づく評価対象値（以下、左右方向評価対象値という）に基づいても、上記運転者の車両運転操作を評価する。上記前後方向評価対象値に基づく評価は、上記運転者のアクセルペダル又はブレーキペダルの操作の評価に相当し、上記左右方向評価対象値に基づく評価は、上記運転者のステアリングホイールの操作の評価に相当する。
【００４８】
上記左右方向評価対象値は、上記前後方向評価対象値と同様の考え方で算出する。すなわち、上記左右方向評価対象値は、車両Ｃの左向き又は右向きの横加速度をＧａとし、該横加速度Ｇａの変化量（躍度）をＪａとしたとき、｜Ｊａ／Ｇａ｜とする。横加速度をＧａも、各車輪１１の車輪速センサ２２による各車輪１１の車輪速から求める。すなわち、加速度・躍度算出部２０ｄが、各車輪１１の車輪速から求めた車両Ｃの車速と、操舵角センサ２３による操舵角とから、車両Ｃの車速及び操舵角と横加速度をＧａとの関係を予め設定したマップに基づいて、横加速度をＧａを求める。また、加速度・躍度算出部２０ｄが、その横加速度Ｇａを微分することで躍度Ｊａを算出する。そして、運転評価部２０ｅが、加速度・躍度算出部２０ｄから加速度Ｇａ及び躍度Ｊａを入力して、｜Ｊａ／Ｇａ｜を算出することで左右方向評価対象値を得る。尚、運転評価部２０ｅが、加速度・躍度算出部２０ｄから横加速度を入力する代わりに、車両Ｃの横加速度を検出する横加速度センサを設けて、運転評価部２０ｅが、該横加速度センサから横加速度Ｇａを入力するようにしてもよい。
【００４９】
上記左右方向評価対象値の算出のタイミングは、上記前後方向評価対象値の算出のタイミングと同様に、躍度Ｊａを微分した値の符号が変化したとき、つまり、躍度Ｊａがピークとなるタイミングである。上記左右方向評価対象値に基づく評価方法は、上記した、前後方向評価対象値に基づく評価方法と同様である（上記左右方向評価対象値を、上記第１乃至第３所定閾値にそれぞれ対応する３つの閾値と対比して評価する）。
【００５０】
図４に示すように、メータ表示器６には、不図示のエンジン回転数センサにより検出されたエンジン１の回転数を表示する回転数表示部６１と、車両Ｃの車速を表示する車速表示部６２と、前後方向評価対象値に基づく評価結果及び左右方向評価対象値に基づく評価結果を表示するディスプレイ６０とが配設されている。このディスプレイ６０は、ＴＦＴカラー液晶のマルチインフォメーションディスプレイである。尚、本実施形態では、ディスプレイ６０には、２つの上記評価結果以外の情報（例えば、レンジ位置、燃料残量、累計走行距離等）も表示される（図５参照）。
【００５１】
表示制御部２０ｆは、運転評価部２０ｅにより、前後方向評価対象値に基づく評価、及び、左右方向評価対象値に基づく評価が行われる毎に、該評価結果を、運転評価部２０ｅより受信してディスプレイ６０に表示させる。このことで、表示制御部２０ｆは、表示制御手段を構成することになる。
【００５２】
図５に示すように、ディスプレイ６０には、前後方向評価対象値に基づく評価、及び、左右方向評価対象値に基づく評価を色表示する第１表示部６３と、前後方向評価対象値に基づく評価が否定的な場合に、少し悪い評価、悪い評価、及び、非常に悪い評価を区別して表示する第２表示部６４と、左右方向評価対象値に基づく評価が否定的な場合に、少し悪い評価、悪い評価、及び、非常に悪い評価を区別して表示する第３表示部６５とが設けられている。第１表示部６３を中央にして、該第１表示部６３の右側に第２表示部６４が設けられ、該第１表示部６３の左側に第３表示部６５が設けられている。第２表示部６４の右下側には、ペダルの絵が描かれ、第３表示部６５の左下側に、ステアリングホイールの絵が描かれており、これにより、運転者に対して、第２表示部６４が、アクセルペダル又はブレーキペダルの操作の評価（前後方向評価対象値に基づく評価）であり、第３表示部６５が、ステアリングホイールの操作の評価（左右方向評価対象値に基づく評価）であることを、分からせるようにしている。
【００５３】
第２表示部６４は、左右方向に並ぶ３つのセグメント６４ａ，６４ｂ，６４ｃを有しており、前後方向評価対象値に基づく評価が少し悪い評価であるときには、最も左側（第１表示部６３に最も近い）セグメント６４ａのみが白色表示され、悪い評価であるときには、最も左側のセグメント６４ａと中央のセグメント６４ｂとが白色表示され、非常に悪い評価であるときには、３つのセグメント６４ａ，６４ｂ，６４ｃが白色表示されるようになっている。すなわち、第２表示部６４には、評価が悪いほど右側に延びるバー表示がなされる。
【００５４】
第３表示部６５も、第２表示部６４と同様に、左右方向に並ぶ３つのセグメント６５ａ，６５ｂ，６５ｃを有しており、第３表示部６５には、評価が悪いほど左側に延びるバー表示がなされる。
【００５５】
前後方向評価対象値に基づく評価、及び、左右方向評価対象値に基づく評価が、それぞれ非常に良い評価である場合には、表示制御部２０ｆは、第１表示部６３に緑色表示させる。また、前後方向評価対象値に基づく評価、及び、左右方向評価対象値に基づく評価が、それぞれ良い評価である場合には、表示制御部２０ｆは、第１表示部６３に青色表示させる。第１表示部６３が緑色又は青色表示されているとき、運転者にとっては、前後方向評価対象値に基づく評価、及び、左右方向評価対象値に基づく評価のどちらが非常に良い評価又は良い評価（つまり肯定的な評価）であるかは分からないが、肯定的な評価の場合には、運転者は、どちらの評価が肯定的な評価であるかをそれほど気にしないので、区別しなくても大きな問題はない。尚、どちらの評価が肯定的な評価であるかを区別して表示することも可能である。
【００５６】
一方、前後方向評価対象値に基づく評価、及び、左右方向評価対象値に基づく評価が、それぞれ否定的な評価である場合には、表示制御部２０ｆは、第１表示部６３に白色表示させるとともに、前後方向評価対象値に基づく評価が否定的である場合には、第２表示部６４に、該評価の悪い程度に応じてバー表示させ、左右方向評価対象値に基づく評価が否定的である場合には、第３表示部６５に、該評価の悪い程度に応じてバー表示させる。これにより、運転者は、どちらの評価がどの程度悪いかが分かる。
【００５７】
ここで、レンジ位置センサ２６によるレンジ位置が走行レンジ位置（特にＤレンジ位置）にある状態で、車両Ｃが停車していたとする。そして、選択操作スイッチ２７がＯＮである場合に、車両Ｃの運転者がブレーキペダルの踏み込みを解除すると、ブレーキ装置制御部２０ｃによりブレーキホールド制御が実行される。このブレーキ装置制御部２０ｃによるブレーキホールド制御の実行中に、運転者により上記アクセルペダルが踏み込み操作されたときには、ブレーキ装置制御部２０ｃによりブレーキ装置１５の制動状態が解除され、その制動状態の解除が略完了する時点で車両Ｃが動き出す。すなわち、図６に示すように、アクセルペダルの踏み込み操作の開始から、ブレーキ装置１５への油圧が減少し始め、その油圧が略０になる時点で、車両Ｃに加速度が生じる。
【００５８】
一方、選択操作スイッチ２７がＯＦＦである場合には、図７に示すように、車両Ｃを発進させるために運転者がブレーキペダルの踏み込みを解除すると、その解除の開始から、ブレーキ装置１５への油圧が減少し始め、その油圧が略０になる時点で、自動変速機２のクリープトルクによって車両Ｃが動き始め、この時点で、車両Ｃに加速度が生じる。その後、アクセルペダルが踏み込み操作されると、車両Ｃの加速度がより上昇していく。このように、上記ブレーキホールド制御の非実行中にアクセルペダルが踏み込み操作されたときの車両Ｃの発進時における加速度の上昇は、上記クリープトルクによる加速度の上昇と、その後の運転者のアクセルペダルの踏み込みによる加速度の上昇との２段階で行われる。このことは、ブレーキホールドシステムが採用されていない車両においても同様である。
【００５９】
これに対し、上記ブレーキホールド制御の実行中にアクセルペダルが踏み込み操作されたときの車両Ｃの発進時における加速度の上昇は、上記のように、運転者のアクセルペダルの踏み込みによる加速度の上昇という１段階のみで行われる。この結果、上記ブレーキホールド制御の実行中にアクセルペダルが踏み込み操作されたときの車両Ｃの発進時においては、車両Ｃの加速度が急激に上昇し易くなる。
【００６０】
したがって、上記ブレーキホールド制御の実行中にアクセルペダルが踏み込み操作されたときの車両Ｃの発進時においては、運転者が急激なアクセル操作をしていなくても、特に最初の躍度Ｊのピーク（図６の時刻ｔ１の時点）での前後方向評価対象値が上記第１所定閾値よりも大きくなり易く、このため、前後方向評価対象値に基づく評価が否定的な評価になり易い。前後方向評価対象値に基づく評価が否定的な評価になると、ディスプレイ６０の第１表示部６３が白色表示され、第２表示部６４には、評価の悪い程度に応じてバー表示がなされることになる。そのディスプレイ６０に表示された否定的な評価を見た運転者は、急激なアクセル操作をした覚えはないので、その評価に対して不満感を感じてしまう。
【００６１】
そこで、本実施形態では、コントロールユニット２０内に、閾値変更部２０ｇが設けられている。この閾値変更部２０ｇは、車両Ｃの停車中におけるブレーキ装置制御部２０ｃによる上記ブレーキホールド制御の実行中に上記アクセルペダルが踏み込み操作されたときに、該踏み込み操作の開始から所定期間の間、前後方向評価対象値に基づく評価を行う際に用いる上記第１所定閾値を大きい側に変更する（図３の第１基準線Ｌ１の傾きを大きくする）閾値変更処理を実行する。このことで、閾値変更部２０ｇは、閾値変更手段を構成することになる。
【００６２】
閾値変更部２０ｇによる上記閾値変更処理の実行により、上記第１所定閾値は、上記所定期間の間、基本値から、該基本値よりも大きい変更値に変更され、上記所定期間の終了時点で、変更前の値である上記基本値に戻される。上記変更値は、上記ブレーキホールド制御の実行中にアクセルペダルが踏み込み操作されたときの車両Ｃの発進時において、該アクセルペダルの踏み込み操作が急激でなかった場合に、該アクセルペダルの踏み込み操作の開始から最初に生じる躍度Ｊのピーク（図６の時刻ｔ１で生じるピーク）で算出される前後方向評価対象値に基づく評価が肯定的な評価になるような値とされる。
【００６３】
本実施形態では、上記閾値変更処理において、上記第１所定閾値を大きい側に変更することに対応して、第２所定閾値及び第３所定閾値も大きい側に変更する（図３の第２基準線Ｌ２及び第３基準線Ｌ３の傾きを大きくする）。ここでは、第２所定閾値及び第３所定閾値を、上記第１所定閾値の変更量（上記変更値−上記基本値）と同じ量だけ大きくする。尚、左右方向評価対象値に基づく評価を行う際に用いる上記３つの閾値は変更しない。
【００６４】
上記所定期間としては、本実施形態では、上記アクセルペダルの踏み込み操作の開始から所定時間が経過するまでの期間である。この所定時間は、上記アクセルペダルの踏み込み操作の開始から最初の躍度Ｊのピークが生じる時点（図６の時刻ｔ１の時点）までの時間よりも僅かに長い時間であって、例えば２ｓ〜４ｓに設定される。尚、この所定時間に代えて、上記所定期間を、例えば、上記アクセルペダルの踏み込み操作の開始から最初の躍度Ｊのピークまでの期間としてもよい。
【００６５】
上記所定期間の開始タイミングは、上記アクセルペダルの踏み込み操作の開始時であるが、このアクセルペダルの踏み込み操作の開始を、アクセル開度センサ２１から直接検出してもよく、これ以外にも、ブレーキ装置１５への油圧を検出するように構成しておき、ブレーキホールド制御を実行していたブレーキ装置制御部２０ｃがブレーキ装置１５の制動状態を解除したときにブレーキ装置１５への油圧から間接的に検出（判断）してもよい。或いは、上記アクセルペダルの踏み込み操作の開始を、ブレーキホールド制御を実行していたブレーキ装置制御部２０ｃがブレーキ装置１５の制動状態を解除するための信号を出力したときに該信号から間接的に検出（判断）してもよい。
【００６６】
本実施形態では、閾値変更部２０ｇは、所定の閾値変更実行条件が成立する、車両Ｃの停車中において、ブレーキ装置制御部２０ｃによる上記ブレーキホールド制御の実行中に上記アクセルペダルが踏み込み操作されたときに、上記閾値変更処理を実行する。
【００６７】
上記所定の閾値変更実行条件には、エンジン１が自動停止されていること、自動変速機２が動力伝達状態にある（特に、レンジ位置センサ２６によるレンジ位置が前進走行レンジ位置にある）こと、勾配センサ２５により検出された、車両Ｃが停車している路面の登り勾配が所定値未満である（勾配センサ２５により検出された勾配がプラスの値であって、該値が所定値未満である）こと、及び、勾配センサ２５により検出された、車両Ｃが停車している路面の降り勾配が、予め設定された設定値以上である（勾配センサ２５により検出された勾配がマイナスの値であって、該値の絶対値が設定値以上である）こと、の少なくとも１つが含まれる。すなわち、このような所定の閾値変更実行条件が成立する停車中において、上記ブレーキホールド制御の実行中に上記アクセルペダルが踏み込み操作されたときには、車両Ｃが急激に発進し易くて、その発進時における、前後方向評価対象値に基づく評価が否定的な評価になり易いので、上記閾値変更処理を実行することにしている。
【００６８】
尚、上記所定の閾値変更実行条件が成立する停車中に限らず、上記所定の閾値変更実行条件が非成立である停車中であっても、ブレーキ装置制御部２０ｃによる上記ブレーキホールド制御の実行中に上記アクセルペダルが踏み込み操作されたときに、上記閾値変更処理を実行するようにしてもよい。
【００６９】
上記コントロールユニット２０による、車両Ｃの停車から発進にかけての処理動作について、図８及び図９のフローチャートにより説明する。尚、ここでは、前後方向評価対象値に基づく評価についてのみ説明する。また、加速度・躍度算出部２０ｄによる加速度Ｇ及び躍度Ｊの算出は常時行われており、ここでは省略する。さらに、車両Ｃの停車中は、上記所定の閾値変更実行条件が成立するものとする。また、レンジ位置センサ２６によるレンジ位置は、前進走行レンジ位置にあるものとする。
【００７０】
最初のステップＳ１で、車両Ｃが停車中であるか否かを判定し、このステップＳ１の判定がＮＯであるときには、ステップＳ１４に進む一方、ステップＳ１の判定がＹＥＳであるときには、ステップＳ２に進んで、所定のブレーキホールド条件が成立しているか否かを判定する。
【００７１】
上記ステップＳ２の判定がＮＯであるときには、ステップＳ１２に進む一方、ステップＳ２の判定がＹＥＳであるときには、ステップＳ３に進んで、ブレーキ装置制御部２０ｃが、ブレーキホールド制御を実行する。
【００７２】
次のステップＳ４では、アクセルペダルの踏み込み操作が行われたか否かを判定する。このステップＳ４の判定がＮＯであるときには、そのままリターンする一方、ステップＳ４の判定がＹＥＳであるときには、ステップＳ５に進んで、ブレーキ装置制御部２０ｃが、ブレーキ装置１５の制動状態を解除する。
【００７３】
次のステップＳ６では、閾値変更部２０ｇが、上記閾値変更処理を実行して、第１乃至第３所定閾値を大きい側に変更する（上記第１所定閾値については、上記基本値から上記変更値に変更する）。
【００７４】
次のステップＳ７では、エンジン制御部２０ａが、アクセル開度に基づいて、エンジン１（スロットル弁３１、燃料噴射弁３２、点火プラグ３３等）を制御するとともに、変速機制御部２０ｂが、アクセル開度及び車両Ｃの車速に基づいて変速段を決定して、その決定した変速段になるように、自動変速機２の複数の摩擦締結要素４１の締結及び解放を制御する。
【００７５】
次のステップＳ８では、運転評価部２０ｅが、躍度Ｊがピークとなるタイミングで、前後方向評価対象値を算出するとともに、該算出した前後方向評価対象値と上記変更後の第１乃至第３所定閾値とに基づき、運転者の車両運転操作の評価を行う。次のステップＳ９では、表示制御部２０ｆが、その評価結果をディスプレイ６０（第１表示部６３、又は、第１表示部６３及び第２表示部６４の両方）に表示する。
【００７６】
次のステップＳ１０では、上記アクセルペダルの踏み込み操作の開始から所定時間が経過したか否かを判定する。このステップＳ１０の判定がＮＯであるときには、上記ステップＳ７に戻る一方、ステップＳ１０の判定がＹＥＳであるときには、ステップＳ１１に進んで、閾値変更部２０ｇが、上記第１乃至第３所定閾値の値を変更前の値に戻し、しかる後にリターンする。
【００７７】
上記ステップＳ２の判定がＮＯであるときに進むステップＳ１２では、アクセルペダルの踏み込み操作が行われたか否かを判定する。このステップＳ１２の判定がＮＯであるときには、そのままリターンする一方、ステップＳ１２の判定がＹＥＳであるときには、ステップＳ１３に進んで、ブレーキ装置制御部２０ｃが、ブレーキ装置１５の制動状態を解除し、しかる後にステップＳ１４に進む。
【００７８】
上記ステップＳ１４では、エンジン制御部２０ａが、アクセル開度に基づいてエンジン１を制御するとともに、変速機制御部２０ｂが、アクセル開度及び車両Ｃの車速に基づいて変速段を決定して、その決定した変速段になるように、自動変速機２の複数の摩擦締結要素４１の締結及び解放を制御する。
【００７９】
次のステップＳ１５では、運転評価部２０ｅが、躍度Ｊがピークとなるタイミングで、前後方向評価対象値を算出するとともに、該算出した前後方向評価対象値と第１乃至第３所定閾値（上記変更前の値）とに基づき、運転者の車両運転操作の評価を行う。次のステップＳ１６では、表示制御部２０ｆが、その評価結果をディスプレイ６０（第１表示部６３、又は、第１表示部６３及び第２表示部６４の両方）に表示し、しかる後にリターンする。
【００８０】
したがって、本実施形態では、閾値変更部２０ｇが、車両Ｃの停車中におけるブレーキ装置制御部２０ｃによる上記ブレーキホールド制御の実行中にアクセルペダルが踏み込み操作されたときに、該踏み込み操作の開始から上記所定期間の間（上記所定時間が経過するまでの間）、上記第１乃至第３所定閾値を大きい側に変更する閾値変更処理を実行するようにしたので、上記ブレーキホールド制御の実行中に車両Ｃの運転者によりアクセルペダルが踏み込み操作されたときの車両Ｃの発進時における加速度の上昇が、運転者が急激なアクセル操作をしていないにも拘わらず、急激であったとしても、上記所定期間の間は、前後方向評価対象値が上記第１所定閾値よりも大きくなり難くなる。この結果、運転評価部２０ｅが、運転者の車両運転操作の評価（前後方向評価対象値に基づく評価）として否定的な評価を行い難くなり、これに伴い、表示制御部２０ｆが、第１表示部６３に白色表示させかつ第２表示部６４にバー表示させることが少なくなる。よって、上記ブレーキホールド制御の実行中にアクセルペダルが踏み込み操作されたときの車両Ｃの発進時における、運転者の車両運転操作の評価結果（前後方向評価対象値に基づく評価結果）が、運転者に対して不満感を与えるのを抑制することができる。
【００８１】
本発明は、上記実施形態に限られるものではなく、請求の範囲の主旨を逸脱しない範囲で代用が可能である。
【００８２】
例えば、上記実施形態では、前後方向評価対象値を、｜Ｊ／Ｇ｜としたが、前後方向評価対象値としては、車両Ｃの加速度Ｇの絶対値又は躍度Ｊの絶対値であってもよい。この場合、運転評価部２０ｅは、加速度・躍度算出部２０ｄから入力した加速度Ｇ又は躍度Ｊ（加速度Ｇは、加速度センサから入力してもよい）から前後方向評価対象値を得て、該前後方向評価対象値が所定閾値以下であるときには、運転者の車両運転操作の評価（前後方向評価対象値に基づく評価）として肯定的な評価を行う一方、上記前後方向評価対象値が上記所定閾値よりも大きいときには、否定的な評価を行うようにする。左右方向評価対象値も同様に、横加速度Ｇａ又は躍度Ｊａであってもよい。
【００８３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【００８４】
以下、本発明とは異なる参考形態を記載しておく。
【００８５】
（参考形態１）
図１０は、参考形態１を示し、この参考形態１では、上記実施形態の閾値変更部２０ｇに代えて、コントロールユニット２０内に、運転評価部２０ｅによる運転者の車両運転操作の評価結果（前後方向評価対象値に基づく評価結果）を変更する評価結果変更部２０ｈ（評価結果変更手段）が設けられる。その他の構成は、上記実施形態と同様である（図１０では、図２と同じ部分について同じ符号を付している）。
【００８６】
評価結果変更部２０ｈは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、運転評価部２０ｅが、運転者の車両運転操作の評価として否定的な評価を行ったとしても、肯定的な評価に変更する評価変更処理を実行する。そして、表示制御部２０ｆは、この変更後の評価結果をディスプレイ６０に表示させる。
【００８７】
評価結果変更部２０ｈは、上記所定の閾値変更実行条件と同様の所定の評価変更実行条件が成立する、車両Ｃの停車中において、ブレーキ装置制御部２０ｃによる上記ブレーキホールド制御の実行中にアクセルペダルが踏み込み操作されたときに、上記評価変更処理を実行するようにしてもよく、上記所定の評価変更実行条件の成立及び非成立に関係なく、上記評価変更処理を実行するようにしてもよい。
【００８８】
したがって、参考形態１においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【００８９】
（参考形態２）
図１１は、参考形態２を示し、この参考形態２では、上記実施形態の閾値変更部２０ｇに代えて、コントロールユニット２０内に、運転評価部２０ｅが運転者の車両運転操作の評価を行うことを禁止する評価禁止部２０ｉ（評価禁止手段）が設けられる。その他の構成は、上記実施形態と同様である（図１１では、図２と同じ部分について同じ符号を付している）。
【００９０】
評価禁止部２０ｉは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、運転評価部２０ｅが運転者の車両運転操作の評価を行うことを禁止する評価禁止処理を実行する。
【００９１】
評価禁止部２０ｉは、上記所定の閾値変更実行条件と同様の所定の評価禁止実行条件が成立する、車両Ｃの停車中において、ブレーキ装置制御部２０ｃによる上記ブレーキホールド制御の実行中にアクセルペダルが踏み込み操作されたときに、上記評価禁止処理を実行するようにしてもよく、上記所定の評価禁止実行条件の成立及び非成立に関係なく、上記評価禁止処理を実行するようにしてもよい。
【００９２】
評価禁止部２０ｉによる評価禁止処理の実行により、運転評価部２０ｅは、運転者の車両運転操作の評価を行わなくなるので、表示制御部２０ｆは、運転評価部２０ｅより評価結果を受信することがなく、ディスプレ６０には運転者の車両運転操作の評価結果が表示されない。
【００９３】
したがって、参考形態２においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【００９４】
（参考形態３）
図１２は、参考形態３を示し、この参考形態３では、上記実施形態の閾値変更部２０ｇに代えて、コントロールユニット２０内に、表示制御部２０ｆが運転評価部２０ｅによる運転者の車両運転操作の評価結果をディスプレイ６０に表示させることを禁止する表示禁止部２０ｊ（表示禁止手段）が設けられる。その他の構成は、上記実施形態と同様である（図１２では、図２と同じ部分について同じ符号を付している）。
【００９５】
表示禁止部２０ｊは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、表示制御部２０ｆが運転評価部２０ｅによる運転者の車両運転操作の評価結果をディスプレイ６０に表示させることを禁止する表示禁止処理を実行する。
【００９６】
表示禁止部２０ｊは、上記所定の閾値変更実行条件と同様の所定の表示禁止実行条件が成立する、車両Ｃの停車中において、ブレーキ装置制御部２０ｃによる上記ブレーキホールド制御の実行中にアクセルペダルが踏み込み操作されたときに、上記表示禁止処理を実行するようにしてもよく、上記所定の表示禁止実行条件の成立及び非成立に関係なく、上記表示禁止処理を実行するようにしてもよい。
【００９７】
したがって、参考形態３においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【産業上の利用可能性】
【００９８】
本発明は、車両を運転する運転者の車両運転操作を評価して、その評価結果をディスプレイに表示するようにした、車両の制御装置に有用である。
【符号の説明】
【００９９】
Ｃ      車両
１      エンジン（駆動源）
２      自動変速機
１５    ブレーキ装置
２０    コントロールユニット（制御装置）
２０ａ  エンジン制御部（駆動源制御手段）
２０ｃ  ブレーキ装置制御部（ブレーキ装置制御手段）
２０ｅ  運転評価部（運転評価手段）
２０ｆ  表示制御部（表示制御手段）
２０ｇ  閾値変更部（閾値変更手段）
２５    勾配センサ（勾配検出手段）
６０    ディスプレイ
【図１】
2018039426.tif 000003
【図２】
2018039426.tif 000004
【図３】
2018039426.tif 000005
【図４】
2018039426.tif 000006
【図５】
2018039426.tif 000007
【図６】
2018039426.tif 000008
【図７】
2018039426.tif 000009
【図８】
2018039426.tif 000010
【図９】
2018039426.tif 000011
【図１０】
2018039426.tif 000012
【図１１】
2018039426.tif 000013
【図１２】
2018039426.tif 000014
【手続補正書】
【提出日】平成29年12月11日(2017.12.11)
【手続補正１】
【補正対象書類名】明細書
【補正対象項目名】全文
【補正方法】変更
【補正の内容】
【発明の詳細な説明】
【技術分野】
【０００１】
本発明は、車両を運転する運転者の車両運転操作を評価して、その評価結果をディスプレイに表示するようにした、車両の制御装置に関する技術分野に属する。
【背景技術】
【０００２】
従来より、車両の運転者の車両運転操作を評価して、その評価結果をディスプレイに表示するようにした装置が知られている（例えば、特許文献１参照）。この装置では、車両の加速度の変化量（躍度）に基づいて、上記運転者の車両運転操作を評価する。
【０００３】
また、例えば特許文献２に示されているように、車両の停車中に、該車両のブレーキペダルが非操作状態であっても、該車両のブレーキ装置を制動状態に維持するブレーキホールド制御を実行し、該車両のアクセルペダルが踏み込み操作されたときに、上記ブレーキ装置の制動状態を解除するブレーキホールドシステムが知られている。
【先行技術文献】
【特許文献】
【０００４】
【特許文献１】特許第５７９６３１５号公報
【特許文献２】特開２００３−００２０８７号公報
【発明の概要】
【発明が解決しようとする課題】
【０００５】
ところで、上記特許文献２のようなブレーキホールドシステムが採用された車両において、上記特許文献１のように、運転者の車両運転操作を評価するようにすることが考えられる。
【０００６】
しかし、ブレーキホールドシステムが採用された車両では、ブレーキホールド制御の実行中に運転者によりアクセルペダルが踏み込み操作されたときの発進時においては、ブレーキホールドシステムが採用されていない車両の発進時、又は、ブレーキホールドシステムが採用された車両でブレーキホールド制御の非実行中にアクセルペダルが踏み込み操作されたときの発進時に対して、アクセルペダルの踏み込み操作が同じであっても、車両の加速度が急上昇し易くなる。
【０００７】
すなわち、ブレーキホールドシステムが採用されていない車両（自動変速機を有しているものとする）では、シフトレバーが走行レンジ位置（特にＤレンジ位置）にある状態（自動変速機が動力伝達状態にある状態）で停車していた場合、その車両の発進に際して運転者がブレーキペダルの踏み込みを解除したときに、自動変速機のクリープトルクによって車両が動き始めるため、その車両の発進時における加速度の上昇は、上記クリープトルクによる加速度の上昇と、その後の運転者のアクセルペダルの踏み込みによる加速度の上昇との２段階で行われる。ブレーキホールドシステムが採用された車両において、ブレーキホールド制御の非実行中にアクセルペダルが踏み込み操作されたときの車両の発進時も同様である。
【０００８】
これに対し、ブレーキホールドシステムが採用された車両において、運転者がブレーキペダルの踏み込みを解除したときにブレーキホールド制御が実行された場合、自動変速機のクリープトルクによって車両が動くようなことはなく、このため、その車両の発進時における加速度の上昇は、運転者のアクセルペダルの踏み込みによる加速度の上昇という１段階のみで行われる。この結果、ブレーキホールド制御の実行中にアクセルペダルが踏み込み操作されたときの車両の発進時においては、車両の加速度が急激に上昇し易くなる。
【０００９】
したがって、ブレーキホールド制御の実行中にアクセルペダルが踏み込み操作されたときの車両の発進時に、運転者の車両運転操作を評価した場合、運転者が急激なアクセル操作をしていなくても、そのようにしていると判断される場合があり、このため、運転者の車両運転操作の評価として否定的な評価がディスプレイに表示される傾向にある。この結果、その否定的な評価を見た運転者は、急激なアクセル操作をした覚えはないので、その評価に対して不満感を感じてしまう。
【００１０】
本発明は、斯かる点に鑑みてなされたものであり、その目的とするところは、ブレーキホールド制御の実行中に車両の運転者によりアクセルペダルが踏み込み操作されたときの車両の発進時における、運転者の車両運転操作の評価結果が、運転者に対して不満感を与えるのを抑制しようとすることにある。
【課題を解決するための手段】
【００１１】
上記の目的を達成するために、本発明では、車両の加速度に基づく評価対象値に基づいて、該車両の運転者の車両運転操作を評価する運転操作評価手段と、上記運転操作評価手段による評価結果を、上記車両の車室内において運転者が視認可能な位置に設けられたディスプレイに表示させる表示制御手段と、上記車両の停車中において、所定のブレーキホールド条件が成立したときに、該車両のブレーキペダルが非操作状態であっても、該車両の車輪を制動するブレーキ装置を制動状態に維持するブレーキホールド制御を実行するとともに、該ブレーキホールド制御の実行中に上記運転者により該車両のアクセルペダルが踏み込み操作されたときには、上記ブレーキ装置の制動状態を解除するブレーキ装置制御手段と、上記アクセルペダルの踏み込み操作状態に応じて、上記車両を駆動する駆動源の作動を制御する駆動源制御手段とを備えた、車両の制御装置を対象として、上記ブレーキ装置制御手段は、上記アクセルペダルの踏み込み操作の開始から上記ブレーキ装置の制動状態を解除し始めるように構成され、上記ブレーキ装置制御手段による上記ブレーキ装置の制動状態の解除が略完了する時点で、上記車両に上記アクセルペダルの踏み込み操作による加速度が生じるようになっており、上記運転操作評価手段は、上記評価対象値が所定閾値以下であるときには、上記運転者の車両運転操作の評価として肯定的な評価を行う一方、上記評価対象値が上記所定閾値よりも大きいときには、否定的な評価を行うように構成され、上記車両の停車中における上記ブレーキ装置制御手段による上記ブレーキホールド制御の実行中に上記アクセルペダルが踏み込み操作されたときの上記車両の発進時に、該踏み込み操作の開始から所定期間の間、上記所定閾値を大きい側に変更する閾値変更処理を実行する閾値変更手段を更に備えている、という構成とした。
【００１２】
上記の構成により、車両の停車中におけるブレーキホールド制御の実行中にアクセルペダルが踏み込み操作されたときの上記車両の発進時には、該踏み込み操作の開始から所定期間の間、所定閾値が大きい側に変更されるので、その所定期間の間は、否定的な評価がされ難くなる。この結果、ブレーキホールド制御の実行中にアクセルペダルが踏み込み操作されたときの車両の発進時における、運転者の車両運転操作の評価結果が、運転者に対して不満感を与えるのを抑制することができる。
【００１３】
上記車両の制御装置の一実施形態では、上記駆動源は、エンジンであり、上記駆動源制御手段は、上記車両が停車していることを含む所定の自動停止条件が成立したときに、上記エンジンを自動停止させるとともに、上記エンジンが自動停止されている、上記車両の停車中において、上記ブレーキ装置制御手段により上記ブレーキホールド制御が実行された場合には、上記アクセルペダルが踏み込み操作されたときに、該エンジンを再始動させるように構成され、上記閾値変更手段は、上記エンジンが自動停止されている、上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されている。
【００１４】
すなわち、アクセルペダルの踏み込み操作からエンジンの再始動が完了するまでには時間がかかるために、エンジンが自動停止されている、車両の停車中におけるブレーキホールド制御の実行中にアクセルペダルが踏み込み操作されたときには、車両がより一層急激に発進し易くて、運転者の車両運転操作の評価が特に悪化し易くなる。このように評価が特に悪化し易くなる場合に、閾値変更処理を実行することで、本発明の作用効果を特に有効に発揮させることができる。
【００１５】
上記車両の制御装置の別の実施形態では、上記車両は、自動変速機を有し、上記閾値変更手段は、上記自動変速機が動力伝達状態にある、上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されている。
【００１６】
上記車両の制御装置の更に別の実施形態では、上記閾値変更手段は、上記車両が停車している路面の勾配を検出する勾配検出手段により検出された登り勾配が所定値未満であるときの上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されている。
【００１７】
上記車両の制御装置の更に別の実施形態では、上記閾値変更手段は、上記車両が停車している路面の勾配を検出する勾配検出手段により検出された降り勾配が、予め設定された設定値以上であるときの上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されている。
【００１８】
これらの実施形態のように、運転者の車両運転操作の評価が悪化し易くなる場合に、閾値変更処理を実行することで、本発明の作用効果を有効に発揮させることができる。
【発明の効果】
【００１９】
以上説明したように、本発明の車両の制御装置によると、運転操作評価手段が、車両の加速度に基づく評価対象値が所定閾値以下であるときには、上記車両の運転者の車両運転操作の評価として肯定的な評価を行う一方、上記所定の評価対象値が上記所定閾値よりも大きいときには、否定的な評価を行うように構成され、上記車両の停車中におけるブレーキホールド制御の実行中にアクセルペダルが踏み込み操作されたときの上記車両の発進時に、該踏み込み操作の開始から所定期間の間、上記所定閾値を大きい側に変更する閾値変更処理を実行する閾値変更手段を備えたことにより、ブレーキホールド制御の実行中にアクセルペダルが踏み込み操作されたときの車両の発進時における、運転者の車両運転操作の評価結果が、運転者に対して不満感を与えるのを抑制することができる。
【図面の簡単な説明】
【００２０】
【図１】本発明の実施形態に係る制御装置が搭載された車両を示す概略図である。
【図２】上記制御装置の制御系の構成を示すブロック図である。
【図３】車両の加速度及び躍度と、運転者の車両運転操作の評価との関係を示すグラフである。
【図４】メータ表示器を示す、運転者側（車両後側）から見た図である。
【図５】メータ表示器における、運転者の車両運転操作の評価結果を表示するディスプレイを示す図である。
【図６】ブレーキホールド制御の実行中にアクセルペダルが踏み込み操作されたときの車両の発進時における、車両の加速度、該加速度の変化量（躍度）、ブレーキ装置への油圧、及び、アクセル開度の変化を示すタイムチャートである。
【図７】ブレーキホールド制御の非実行中にアクセルペダルが踏み込み操作されたときの車両の発進時における、車両の加速度、ブレーキ装置への油圧、及び、アクセル開度の変化を示すタイムチャートである。
【図８】コントロールユニットによる、車両の停車から発進にかけての処理動作の一部を示すフローチャートである。
【図９】コントロールユニットによる、車両の停車から発進にかけての処理動作の残部を示すフローチャートである。
【図１０】参考形態１を示す図２相当図である。
【図１１】参考形態２を示す図２相当図である。
【図１２】参考形態３を示す図２相当図である。
【発明を実施するための形態】
【００２１】
以下、本発明の実施形態を図面に基づいて詳細に説明する。
【００２２】
図１は、本発明の実施形態に係る制御装置（後述のコントロールユニット２０）が搭載された車両Ｃ（本実施形態では、自動車）を示す。この車両Ｃは、該車両Ｃを駆動する駆動源としてのエンジン１と、該エンジン１にて生成されたトルク（動力）が入力される自動変速機２とを有している。エンジン１及び自動変速機２は、車両Ｃの前部に位置するエンジンルーム内に搭載されている。エンジン１の出力軸（クランク軸）は、車幅方向に延びていて、自動変速機２の入力軸（車幅方向に延びる）と連結されている。尚、駆動源としては、エンジン１に限らず、電動モータ等であってもよい。
【００２３】
自動変速機２からの動力は差動装置９に伝達され、この差動装置９に伝達された動力が、左右のドライブシャフト１０を介して、左右の前輪１１ａをそれぞれ駆動するようになっている。このように前輪１１ａは、自動変速機２から出力されたトルク（動力）により駆動される駆動輪である。したがって、本実施形態では、車両ＣはＦＦ車である。尚、車両Ｃは、ＦＦ車に限らず、ＦＲ車であってもよい。
【００２４】
車両Ｃの全ての車輪１１（前輪１１ａ及び後輪１１ｂ）には、該各車輪１１を制動するブレーキ装置１５がそれぞれ設けられている。各車輪１１のブレーキ装置１５は、該ブレーキ装置１５に供給される油圧によって作動する。
【００２５】
車両Ｃにおける上記エンジンルームの車両後側に位置する車室内の前部には、運転席シート７と助手席シート８とが車幅方向に並んで設けられている。これら運転席シート７と助手席シート８との間には、車両Ｃの運転者が自動変速機２の変速レンジを切り換えるためのシフトレバー１６が設けられている。
【００２６】
上記車室における運転席シート７及び助手席シート８の車両前側（上記車室の車両前側端）には、図示を省略するインストルメントパネルが車幅方向に延びるように設けられ、このインストルメントパネルにおける運転席シート７の車両前側の部分に、ステアリングシャフト１３を回転自在に支持するステアリングコラム（図示せず）が設けられている。このステアリングシャフト１３の車両後側の端部に、車両Ｃの運転者が操作するステアリングホイール１２が設けられている。
【００２７】
また、上記インストルメントパネルにおける上記ステアリングコラムの上側の部分（車両Ｃの車室内において運転者が視認可能な位置）には、後述の評価結果を表示するディスプレイ６０（図４及び図５参照）を含むメータ表示器６が配設されている。
【００２８】
車両Ｃには、後述の入力信号に基づいて、エンジン１、自動変速機２、各ブレーキ装置１５、及びディスプレイ６０の作動を制御するコントロールユニット２０が設けられている。このコントロールユニット２０は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００２９】
コントロールユニット２０には、車両Ｃの運転者によるアクセルペダルの踏み込み量（アクセル開度）を検出するアクセル開度センサ２１からの信号と、車両Ｃの各車輪１１にそれぞれ設けられて該各車輪１１の車輪速を検出する車輪速センサ２２からの信号と、上記運転者によるステアリングホイール１２の操舵角を検出する操舵角センサ２３からの信号と、上記運転者によるブレーキペダルの踏み込み量を検出するブレーキセンサ２４からの信号と、車両Ｃが位置する路面の勾配を検出する勾配センサ２５からの信号と、車両Ｃのシフトレバー１６のレンジ位置（Ｄレンジ位置、Ｒレンジ位置、Ｎレンジ位置、Ｐレンジ位置等）を検出するレンジ位置センサ２６からの信号と、後述のブレーキホールド制御の実行を許可するか否かを運転者が選択操作する選択操作スイッチ２７からの信号とが入力されるようになっている。勾配センサ２５は、上記路面の登り勾配及び降り勾配の両方を検出可能なものであり、勾配センサ２５による路面の勾配（％）は、降り勾配ではマイナスの値を示し、登り勾配ではプラスの値を示す。
【００３０】
尚、車両Ｃの車速は、各車輪１１の車輪速センサ２２による各車輪１１の車輪速から求めることができるが、車両Ｃの車速を検出する車速センサを別途に設けてもよい。
【００３１】
コントロールユニット２０内には、エンジン１（駆動源）の作動を制御する駆動源制御手段としてのエンジン制御部２０ａと、自動変速機２の作動を制御する変速機制御部２０ｂと、ブレーキ装置制御手段としてのブレーキ装置制御部２０ｃと、加速度・躍度算出部２０ｄと、運転操作評価部２０ｅと、表示制御部２０ｆと、閾値変更部２０ｇとが設けられている。
【００３２】
エンジン制御部２０ａは、アクセル開度センサ２１によるアクセル開度（運転者によるアクセルペダルの踏み込み操作状態）に応じて、エンジン１の作動（つまり、エンジン１の生成トルク）を制御する。すなわち、エンジン制御部２０ａは、上記アクセル開度に応じて、エンジン１の吸気管に設けられたスロットル弁３１、エンジン１の複数の気筒が配設されたエンジン本体に設けられ、各気筒内に燃料を噴射する燃料噴射弁３２、該エンジン本体に設けられ、各気筒内に噴射された燃料を点火させる点火プラグ３３等の作動を制御する。
【００３３】
また、エンジン制御部２０ａは、車両Ｃが停車している（車両Ｃの車速が０である）ことを含む所定の自動停止条件が成立したときに、エンジン１を自動停止（アイドルストップ）させる。上記所定の自動停止条件は、本実施形態では、車両Ｃが停車しているとともに、選択操作スイッチ２７がＯＮである（上記運転者が後述のブレーキホールド制御の実行を許可している）か、又は、車両Ｃが停車しているとともに、選択操作スイッチ２７がＯＦＦでありかつブレーキペダルが踏み込み操作されているという条件である。
【００３４】
そして、エンジン制御部２０ａは、エンジン１が自動停止されている、車両Ｃの停車中において、ブレーキ装置制御部２０ｃにより後述のブレーキホールド制御が実行された場合には、上記アクセルペダルが踏み込み操作されたときに、エンジン１を再始動させる一方、エンジン１が自動停止されている、車両Ｃの停車中において、選択操作スイッチ２７がＯＦＦである場合には、上記ブレーキペダルの踏み込みが解除されたとき（より詳細には、ブレーキペダルの踏み込み量が所定量以下になったとき）に、エンジン１を再始動させる。
【００３５】
変速機制御部２０ｂは、レンジ位置センサ２６によるレンジ位置が、前進走行レンジ位置（例えばＤレンジ位置）にあるとき、車両Ｃの走行状態（詳細には、アクセル開度センサ２１によるアクセル開度、及び、車両Ｃの車速）から、コントロールユニット２０のメモリに予め記憶した変速マップを用いて変速段を決定して、その決定した変速段になるように、自動変速機２に設けられた、クラッチ及びブレーキを含む複数の摩擦締結要素４１の締結及び解放を制御する。車両Ｃの停車中において、レンジ位置センサ２６によるレンジ位置が前進走行レンジ位置にあるとき、エンジン制御部２０ａにより複数の摩擦締結要素４１が１速を実現する締結又は解放状態とされ、このとき、自動変速機２は動力伝達状態にある。また、車両Ｃの停車中において、レンジ位置センサ２６によるレンジ位置がＲレンジ位置にあるとき、エンジン制御部２０ａにより複数の摩擦締結要素４１が後退速を実現する締結又は解放状態とされ、このときも自動変速機２は動力伝達状態にある。
【００３６】
ブレーキ装置制御部２０ｃは、ブレーキセンサ２４によるブレーキペダルの踏み込み量に応じて、各車輪１１のブレーキ装置１５への油圧を制御する。また、ブレーキ装置制御部２０ｃは、車両Ｃの停車中において、所定のブレーキホールド条件が成立したときに、車両Ｃのブレーキペダルが非操作状態であっても車両Ｃの全車輪１１のブレーキ装置１５を制動状態に維持するブレーキホールド制御を実行するとともに、該ブレーキホールド制御の実行中に上記運転者により車両Ｃのアクセルペダルが踏み込み操作されたとき（アクセル開度センサ２１により車両Ｃのアクセルペダルの踏み込み操作が検出されたとき）に、該ブレーキホールド制御の実行により制動状態にあるブレーキ装置１５の該制動状態を解除する。尚、上記ブレーキホールド制御の実行時に、駆動輪（本実施形態では、前輪）のブレーキ装置１５のみを制動状態にしてもよい。
【００３７】
上記所定のブレーキホールド制御条件は、本実施形態では、選択操作スイッチ２７がＯＮであり（上記運転者がブレーキホールド制御の実行を許可している）、かつ、上記運転者が車両Ｃの停車中にブレーキペダルの踏み込みを解除した（より詳細には、ブレーキペダルの踏み込み量が上記所定量以下になった）という条件である。尚、上記所定のブレーキホールド制御条件として、選択操作スイッチ２７がＯＮであり、かつ、上記運転者が車両Ｃの停車中にブレーキペダルの踏み込みを解除し、かつ、レンジ位置センサ２６によるレンジ位置が走行レンジ位置（つまり、自動変速機２のクリープトルクによって車両Ｃが動く可能性があるレンジ位置（特に前進走行レンジ位置））にあるという条件としてもよい。
【００３８】
運転操作評価部２０ｅは、車両Ｃの加速度（車両Ｃの前後方向の加速度）に基づく評価対象値に基づいて、上記運転者の車両運転操作を評価する。このことで、運転操作評価部２０ｅは、運転操作評価手段を構成することになる。本実施形態では、上記評価対象値は、車両Ｃの加速度をＧ（単位：ｍ／ｓ２）とし、該加速度Ｇの変化量（躍度）をＪ（単位：ｍ／ｓ３）としたとき、Ｊ／Ｇ（単位：ｓ−１）の絶対値とする。
【００３９】
本実施形態では、加速度・躍度算出部２０ｄが、各車輪１１の車輪速センサ２２による各車輪１１の車輪速から加速度Ｇを算出する。すなわち、加速度・躍度算出部２０ｄが、各車輪１１の車輪速から車両Ｃの車速を求め、その車速を微分して加速度Ｇを算出する。また、加速度・躍度算出部２０ｄが、その加速度Ｇを微分することで躍度Ｊを算出する。そして、運転操作評価部２０ｅが、加速度・躍度算出部２０ｄから加速度Ｇ及び躍度Ｊを入力して、｜Ｊ／Ｇ｜を算出することで、評価対象値を得る。尚、運転操作評価部２０ｅが、加速度・躍度算出部２０ｄから加速度Ｇを入力する代わりに、車両Ｃの加速度を検出する加速度センサを設けて、運転操作評価部２０ｅが、該加速度センサから加速度Ｇを入力するようにしてもよい。
【００４０】
本実施形態では、運転操作評価部２０ｅは、躍度Ｊを微分した値の符号が変化したとき、つまり、躍度Ｊがピークとなるタイミングで、上記評価対象値を算出する。
【００４１】
運転操作評価部２０ｅは、躍度Ｊがピークとなるタイミングで上記評価対象値を算出する毎に、該算出した評価対象値に基づいて、上記運転者の車両運転操作を評価する。具体的には、運転操作評価部２０ｅは、該算出した評価対象値が第１所定閾値以下であるときには、運転者の車両運転操作の評価として肯定的な評価を行う一方、該算出した評価対象値が上記第１所定閾値よりも大きいときには、否定的な評価を行う。
【００４２】
上記評価について、図３の２次元のグラフにより詳細に説明する。このグラフの横軸は、運転操作評価部２０ｅに入力された加速度Ｇであり、縦軸は、運転操作評価部２０ｅに入力された躍度Ｊである。ここでは、加速度Ｇ及び躍度Ｊは、正の値であるとする。
【００４３】
上記グラフ上に、上記評価対象値が算出されたときの加速度Ｇ及び躍度Ｊの値を、座標（Ｇ，Ｊ）としてプロットした場合、そのプロットした位置が、傾きが上記第１所定閾値となる第１基準線Ｌ１上、又は、該第１基準線Ｌ１よりも下側の領域（Ａ領域及びＢ領域）にあれば、運転操作評価部２０ｅは肯定的な評価を行う。一方、上記プロットした位置が、第１基準線Ｌ１よりも上側の領域（Ｃ１乃至Ｃ３領域）にあれば、運転操作評価部２０ｅは否定的な評価を行う。
【００４４】
Ａ領域では、加速度Ｇ及び躍度Ｊの両方が小さい値であって、車両Ｃが略一定速度で走行しているので、非常に良い評価とされる。Ｂ領域では、加速度Ｇが所定加速度Ｇ１よりも大きい値であるが、車両Ｃの乗員の体が揺れるほどには加速度Ｇが変化していない（躍度が小さい）ので、良い評価とされる。
【００４５】
一方、Ｃ１乃至Ｃ３領域では、車両Ｃの乗員の体が揺れるほどに加速度Ｇが大きく変化しているので、否定的な評価とされる。
【００４６】
本実施形態では、否定的な評価において、上記評価対象値の大きさによって、少し悪い評価、悪い評価、及び、非常に悪い評価に区別して評価する。すなわち、上記評価対象値が上記第１所定閾値よりも大きくかつ第２所定閾値（第１所定閾値よりも大きい値に設定される）以下であるときには、少し悪い評価とされ、上記評価対象値が上記第２所定閾値よりも大きくかつ第３所定閾値（第２所定閾値よりも大きい値に設定される）以下であるときには、悪い評価とされ、上記評価対象値が上記第３所定閾値よりも大きいときには、非常に悪い評価とされる。このことを上記グラフ上で言い換えると、上記プロットした位置が、第１基準線Ｌ１よりも上側でかつ第２基準線Ｌ２（第２基準線Ｌ２の傾きが上記第２所定閾値となる）以下のＣ１領域にあれば、少し悪い評価とされ、上記プロットした位置が、第２基準線Ｌ２よりも上側でかつ第３基準線Ｌ３（第３基準線Ｌ２の傾きが上記第３所定閾値となる）以下のＣ２領域にあれば、悪い評価とされ、上記プロットした位置が、第３基準線Ｌ３よりも上側のＣ３領域にあれば、非常に悪い評価とされる。尚、否定的な評価を、このように区別して評価しなくてもよい。この場合は、上記評価対象値と上記第１所定閾値とを対比すればよい。
【００４７】
本実施形態では、運転操作評価部２０ｅは、車両Ｃの加速度（車両の前後方向の加速度）に基づく評価対象値（以下、前後方向評価対象値という）に基づいて、上記運転者の車両運転操作を評価するだけでなく、車両Ｃの横加速度（車両の左右方向の加速度）に基づく評価対象値（以下、左右方向評価対象値という）に基づいても、上記運転者の車両運転操作を評価する。上記前後方向評価対象値に基づく評価は、上記運転者のアクセルペダル又はブレーキペダルの操作の評価に相当し、上記左右方向評価対象値に基づく評価は、上記運転者のステアリングホイールの操作の評価に相当する。
【００４８】
上記左右方向評価対象値は、上記前後方向評価対象値と同様の考え方で算出する。すなわち、上記左右方向評価対象値は、車両Ｃの左向き又は右向きの横加速度をＧａとし、該横加速度Ｇａの変化量（躍度）をＪａとしたとき、｜Ｊａ／Ｇａ｜とする。横加速度Ｇａも、各車輪１１の車輪速センサ２２による各車輪１１の車輪速から求める。すなわち、加速度・躍度算出部２０ｄが、各車輪１１の車輪速から求めた車両Ｃの車速と、操舵角センサ２３による操舵角とから、車両Ｃの車速及び操舵角と横加速度Ｇａとの関係を予め設定したマップに基づいて、横加速度Ｇａを求める。また、加速度・躍度算出部２０ｄが、その横加速度Ｇａを微分することで躍度Ｊａを算出する。そして、運転操作評価部２０ｅが、加速度・躍度算出部２０ｄから横加速度Ｇａ及び躍度Ｊａを入力して、｜Ｊａ／Ｇａ｜を算出することで左右方向評価対象値を得る。尚、運転操作評価部２０ｅが、加速度・躍度算出部２０ｄから横加速度を入力する代わりに、車両Ｃの横加速度を検出する横加速度センサを設けて、運転操作評価部２０ｅが、該横加速度センサから横加速度Ｇａを入力するようにしてもよい。
【００４９】
上記左右方向評価対象値の算出のタイミングは、上記前後方向評価対象値の算出のタイミングと同様に、躍度Ｊａを微分した値の符号が変化したとき、つまり、躍度Ｊａがピークとなるタイミングである。上記左右方向評価対象値に基づく評価方法は、上記した、前後方向評価対象値に基づく評価方法と同様である（上記左右方向評価対象値を、上記第１乃至第３所定閾値にそれぞれ対応する３つの閾値と対比して評価する）。
【００５０】
図４に示すように、メータ表示器６には、不図示のエンジン回転数センサにより検出されたエンジン１の回転数を表示する回転数表示部６１と、車両Ｃの車速を表示する車速表示部６２と、前後方向評価対象値に基づく評価結果及び左右方向評価対象値に基づく評価結果を表示するディスプレイ６０とが配設されている。このディスプレイ６０は、ＴＦＴカラー液晶のマルチインフォメーションディスプレイである。尚、本実施形態では、ディスプレイ６０には、２つの上記評価結果以外の情報（例えば、レンジ位置、燃料残量、累計走行距離等）も表示される（図５参照）。
【００５１】
表示制御部２０ｆは、運転操作評価部２０ｅにより、前後方向評価対象値に基づく評価、及び、左右方向評価対象値に基づく評価が行われる毎に、該評価結果を、運転操作評価部２０ｅより受信してディスプレイ６０に表示させる。このことで、表示制御部２０ｆは、表示制御手段を構成することになる。
【００５２】
図５に示すように、ディスプレイ６０には、前後方向評価対象値に基づく評価、及び、左右方向評価対象値に基づく評価を色表示する第１表示部６３と、前後方向評価対象値に基づく評価が否定的な場合に、少し悪い評価、悪い評価、及び、非常に悪い評価を区別して表示する第２表示部６４と、左右方向評価対象値に基づく評価が否定的な場合に、少し悪い評価、悪い評価、及び、非常に悪い評価を区別して表示する第３表示部６５とが設けられている。第１表示部６３を中央にして、該第１表示部６３の右側に第２表示部６４が設けられ、該第１表示部６３の左側に第３表示部６５が設けられている。第２表示部６４の右下側には、ペダルの絵が描かれ、第３表示部６５の左下側に、ステアリングホイールの絵が描かれており、これにより、運転者に対して、第２表示部６４が、アクセルペダル又はブレーキペダルの操作の評価（前後方向評価対象値に基づく評価）であり、第３表示部６５が、ステアリングホイールの操作の評価（左右方向評価対象値に基づく評価）であることを、分からせるようにしている。
【００５３】
第２表示部６４は、左右方向に並ぶ３つのセグメント６４ａ，６４ｂ，６４ｃを有しており、前後方向評価対象値に基づく評価が少し悪い評価であるときには、最も左側（第１表示部６３に最も近い）セグメント６４ａのみが白色表示され、悪い評価であるときには、最も左側のセグメント６４ａと中央のセグメント６４ｂとが白色表示され、非常に悪い評価であるときには、３つのセグメント６４ａ，６４ｂ，６４ｃが白色表示されるようになっている。すなわち、第２表示部６４には、評価が悪いほど右側に延びるバー表示がなされる。
【００５４】
第３表示部６５も、第２表示部６４と同様に、左右方向に並ぶ３つのセグメント６５ａ，６５ｂ，６５ｃを有しており、第３表示部６５には、評価が悪いほど左側に延びるバー表示がなされる。
【００５５】
前後方向評価対象値に基づく評価、及び、左右方向評価対象値に基づく評価が、それぞれ非常に良い評価である場合には、表示制御部２０ｆは、第１表示部６３に緑色表示させる。また、前後方向評価対象値に基づく評価、及び、左右方向評価対象値に基づく評価が、それぞれ良い評価である場合には、表示制御部２０ｆは、第１表示部６３に青色表示させる。第１表示部６３が緑色又は青色表示されているとき、運転者にとっては、前後方向評価対象値に基づく評価、及び、左右方向評価対象値に基づく評価のどちらが非常に良い評価又は良い評価（つまり肯定的な評価）であるかは分からないが、肯定的な評価の場合には、運転者は、どちらの評価が肯定的な評価であるかをそれほど気にしないので、区別しなくても大きな問題はない。尚、どちらの評価が肯定的な評価であるかを区別して表示することも可能である。
【００５６】
一方、前後方向評価対象値に基づく評価、及び、左右方向評価対象値に基づく評価が、それぞれ否定的な評価である場合には、表示制御部２０ｆは、第１表示部６３に白色表示させるとともに、前後方向評価対象値に基づく評価が否定的である場合には、第２表示部６４に、該評価の悪い程度に応じてバー表示させ、左右方向評価対象値に基づく評価が否定的である場合には、第３表示部６５に、該評価の悪い程度に応じてバー表示させる。これにより、運転者は、どちらの評価がどの程度悪いかが分かる。
【００５７】
ここで、レンジ位置センサ２６によるレンジ位置が走行レンジ位置（特にＤレンジ位置）にある状態で、車両Ｃが停車していたとする。そして、選択操作スイッチ２７がＯＮである場合に、車両Ｃの運転者がブレーキペダルの踏み込みを解除すると、ブレーキ装置制御部２０ｃによりブレーキホールド制御が実行される。このブレーキ装置制御部２０ｃによるブレーキホールド制御の実行中に、運転者により上記アクセルペダルが踏み込み操作されたときには、ブレーキ装置制御部２０ｃによりブレーキ装置１５の制動状態が解除され、その制動状態の解除が略完了する時点で車両Ｃが動き出す。すなわち、図６に示すように、アクセルペダルの踏み込み操作の開始から、ブレーキ装置１５への油圧が減少し始め、その油圧が略０になる時点で、車両Ｃに加速度が生じる。
【００５８】
一方、選択操作スイッチ２７がＯＦＦである場合には、図７に示すように、車両Ｃを発進させるために運転者がブレーキペダルの踏み込みを解除すると、その解除の開始から、ブレーキ装置１５への油圧が減少し始め、その油圧が略０になる時点で、自動変速機２のクリープトルクによって車両Ｃが動き始め、この時点で、車両Ｃに加速度が生じる。その後、アクセルペダルが踏み込み操作されると、車両Ｃの加速度がより上昇していく。このように、上記ブレーキホールド制御の非実行中にアクセルペダルが踏み込み操作されたときの車両Ｃの発進時における加速度の上昇は、上記クリープトルクによる加速度の上昇と、その後の運転者のアクセルペダルの踏み込みによる加速度の上昇との２段階で行われる。このことは、ブレーキホールドシステムが採用されていない車両においても同様である。
【００５９】
これに対し、上記ブレーキホールド制御の実行中にアクセルペダルが踏み込み操作されたときの車両Ｃの発進時における加速度の上昇は、上記のように、運転者のアクセルペダルの踏み込みによる加速度の上昇という１段階のみで行われる。この結果、上記ブレーキホールド制御の実行中にアクセルペダルが踏み込み操作されたときの車両Ｃの発進時においては、車両Ｃの加速度が急激に上昇し易くなる。
【００６０】
したがって、上記ブレーキホールド制御の実行中にアクセルペダルが踏み込み操作されたときの車両Ｃの発進時においては、運転者が急激なアクセル操作をしていなくても、特に最初の躍度Ｊのピーク（図６の時刻ｔ１の時点）での前後方向評価対象値が上記第１所定閾値よりも大きくなり易く、このため、前後方向評価対象値に基づく評価が否定的な評価になり易い。前後方向評価対象値に基づく評価が否定的な評価になると、ディスプレイ６０の第１表示部６３が白色表示され、第２表示部６４には、評価の悪い程度に応じてバー表示がなされることになる。そのディスプレイ６０に表示された否定的な評価を見た運転者は、急激なアクセル操作をした覚えはないので、その評価に対して不満感を感じてしまう。
【００６１】
そこで、本実施形態では、コントロールユニット２０内に、閾値変更部２０ｇが設けられている。この閾値変更部２０ｇは、車両Ｃの停車中におけるブレーキ装置制御部２０ｃによる上記ブレーキホールド制御の実行中に上記アクセルペダルが踏み込み操作されたときに、該踏み込み操作の開始から所定期間の間、前後方向評価対象値に基づく評価を行う際に用いる上記第１所定閾値を大きい側に変更する（図３の第１基準線Ｌ１の傾きを大きくする）閾値変更処理を実行する。このことで、閾値変更部２０ｇは、閾値変更手段を構成することになる。
【００６２】
閾値変更部２０ｇによる上記閾値変更処理の実行により、上記第１所定閾値は、上記所定期間の間、基本値から、該基本値よりも大きい変更値に変更され、上記所定期間の終了時点で、変更前の値である上記基本値に戻される。上記変更値は、上記ブレーキホールド制御の実行中にアクセルペダルが踏み込み操作されたときの車両Ｃの発進時において、該アクセルペダルの踏み込み操作が急激でなかった場合に、該アクセルペダルの踏み込み操作の開始から最初に生じる躍度Ｊのピーク（図６の時刻ｔ１で生じるピーク）で算出される前後方向評価対象値に基づく評価が肯定的な評価になるような値とされる。
【００６３】
本実施形態では、上記閾値変更処理において、上記第１所定閾値を大きい側に変更することに対応して、第２所定閾値及び第３所定閾値も大きい側に変更する（図３の第２基準線Ｌ２及び第３基準線Ｌ３の傾きを大きくする）。ここでは、第２所定閾値及び第３所定閾値を、上記第１所定閾値の変更量（上記変更値−上記基本値）と同じ量だけ大きくする。尚、左右方向評価対象値に基づく評価を行う際に用いる上記３つの閾値は変更しない。
【００６４】
上記所定期間としては、本実施形態では、上記アクセルペダルの踏み込み操作の開始から所定時間が経過するまでの期間である。この所定時間は、上記アクセルペダルの踏み込み操作の開始から最初の躍度Ｊのピークが生じる時点（図６の時刻ｔ１の時点）までの時間よりも僅かに長い時間であって、例えば２ｓ〜４ｓに設定される。尚、この所定時間に代えて、上記所定期間を、例えば、上記アクセルペダルの踏み込み操作の開始から最初の躍度Ｊのピークまでの期間としてもよい。
【００６５】
上記所定期間の開始タイミングは、上記アクセルペダルの踏み込み操作の開始時であるが、このアクセルペダルの踏み込み操作の開始を、アクセル開度センサ２１から直接検出してもよく、これ以外にも、ブレーキ装置１５への油圧を検出するように構成しておき、ブレーキホールド制御を実行していたブレーキ装置制御部２０ｃがブレーキ装置１５の制動状態を解除したときにブレーキ装置１５への油圧から間接的に検出（判断）してもよい。或いは、上記アクセルペダルの踏み込み操作の開始を、ブレーキホールド制御を実行していたブレーキ装置制御部２０ｃがブレーキ装置１５の制動状態を解除するための信号を出力したときに該信号から間接的に検出（判断）してもよい。
【００６６】
本実施形態では、閾値変更部２０ｇは、所定の閾値変更実行条件が成立する、車両Ｃの停車中において、ブレーキ装置制御部２０ｃによる上記ブレーキホールド制御の実行中に上記アクセルペダルが踏み込み操作されたときに、上記閾値変更処理を実行する。
【００６７】
上記所定の閾値変更実行条件には、エンジン１が自動停止されていること、自動変速機２が動力伝達状態にある（特に、レンジ位置センサ２６によるレンジ位置が前進走行レンジ位置にある）こと、勾配センサ２５により検出された、車両Ｃが停車している路面の登り勾配が所定値未満である（勾配センサ２５により検出された勾配がプラスの値であって、該値が所定値未満である）こと、及び、勾配センサ２５により検出された、車両Ｃが停車している路面の降り勾配が、予め設定された設定値以上である（勾配センサ２５により検出された勾配がマイナスの値であって、該値の絶対値が設定値以上である）こと、の少なくとも１つが含まれる。すなわち、このような所定の閾値変更実行条件が成立する停車中において、上記ブレーキホールド制御の実行中に上記アクセルペダルが踏み込み操作されたときには、車両Ｃが急激に発進し易くて、その発進時における、前後方向評価対象値に基づく評価が否定的な評価になり易いので、上記閾値変更処理を実行することにしている。
【００６８】
尚、上記所定の閾値変更実行条件が成立する停車中に限らず、上記所定の閾値変更実行条件が非成立である停車中であっても、ブレーキ装置制御部２０ｃによる上記ブレーキホールド制御の実行中に上記アクセルペダルが踏み込み操作されたときに、上記閾値変更処理を実行するようにしてもよい。
【００６９】
上記コントロールユニット２０による、車両Ｃの停車から発進にかけての処理動作について、図８及び図９のフローチャートにより説明する。尚、ここでは、前後方向評価対象値に基づく評価についてのみ説明する。また、加速度・躍度算出部２０ｄによる加速度Ｇ及び躍度Ｊの算出は常時行われており、ここでは省略する。さらに、車両Ｃの停車中は、上記所定の閾値変更実行条件が成立するものとする。また、レンジ位置センサ２６によるレンジ位置は、前進走行レンジ位置にあるものとする。
【００７０】
最初のステップＳ１で、車両Ｃが停車中であるか否かを判定し、このステップＳ１の判定がＮＯであるときには、ステップＳ１４に進む一方、ステップＳ１の判定がＹＥＳであるときには、ステップＳ２に進んで、所定のブレーキホールド条件が成立しているか否かを判定する。
【００７１】
上記ステップＳ２の判定がＮＯであるときには、ステップＳ１２に進む一方、ステップＳ２の判定がＹＥＳであるときには、ステップＳ３に進んで、ブレーキ装置制御部２０ｃが、ブレーキホールド制御を実行する。
【００７２】
次のステップＳ４では、アクセルペダルの踏み込み操作が行われたか否かを判定する。このステップＳ４の判定がＮＯであるときには、そのままリターンする一方、ステップＳ４の判定がＹＥＳであるときには、ステップＳ５に進んで、ブレーキ装置制御部２０ｃが、ブレーキ装置１５の制動状態を解除する。
【００７３】
次のステップＳ６では、閾値変更部２０ｇが、上記閾値変更処理を実行して、第１乃至第３所定閾値を大きい側に変更する（上記第１所定閾値については、上記基本値から上記変更値に変更する）。
【００７４】
次のステップＳ７では、エンジン制御部２０ａが、アクセル開度に基づいて、エンジン１（スロットル弁３１、燃料噴射弁３２、点火プラグ３３等）を制御するとともに、変速機制御部２０ｂが、アクセル開度及び車両Ｃの車速に基づいて変速段を決定して、その決定した変速段になるように、自動変速機２の複数の摩擦締結要素４１の締結及び解放を制御する。
【００７５】
次のステップＳ８では、運転操作評価部２０ｅが、躍度Ｊがピークとなるタイミングで、前後方向評価対象値を算出するとともに、該算出した前後方向評価対象値と上記変更後の第１乃至第３所定閾値とに基づき、運転者の車両運転操作の評価を行う。次のステップＳ９では、表示制御部２０ｆが、その評価結果をディスプレイ６０（第１表示部６３、又は、第１表示部６３及び第２表示部６４の両方）に表示する。
【００７６】
次のステップＳ１０では、上記アクセルペダルの踏み込み操作の開始から所定時間が経過したか否かを判定する。このステップＳ１０の判定がＮＯであるときには、上記ステップＳ７に戻る一方、ステップＳ１０の判定がＹＥＳであるときには、ステップＳ１１に進んで、閾値変更部２０ｇが、上記第１乃至第３所定閾値の値を変更前の値に戻し、しかる後にリターンする。
【００７７】
上記ステップＳ２の判定がＮＯであるときに進むステップＳ１２では、アクセルペダルの踏み込み操作が行われたか否かを判定する。このステップＳ１２の判定がＮＯであるときには、そのままリターンする一方、ステップＳ１２の判定がＹＥＳであるときには、ステップＳ１３に進んで、ブレーキ装置制御部２０ｃが、ブレーキ装置１５の制動状態を解除し、しかる後にステップＳ１４に進む。
【００７８】
上記ステップＳ１４では、エンジン制御部２０ａが、アクセル開度に基づいてエンジン１を制御するとともに、変速機制御部２０ｂが、アクセル開度及び車両Ｃの車速に基づいて変速段を決定して、その決定した変速段になるように、自動変速機２の複数の摩擦締結要素４１の締結及び解放を制御する。
【００７９】
次のステップＳ１５では、運転操作評価部２０ｅが、躍度Ｊがピークとなるタイミングで、前後方向評価対象値を算出するとともに、該算出した前後方向評価対象値と第１乃至第３所定閾値（上記変更前の値）とに基づき、運転者の車両運転操作の評価を行う。次のステップＳ１６では、表示制御部２０ｆが、その評価結果をディスプレイ６０（第１表示部６３、又は、第１表示部６３及び第２表示部６４の両方）に表示し、しかる後にリターンする。
【００８０】
したがって、本実施形態では、閾値変更部２０ｇが、車両Ｃの停車中におけるブレーキ装置制御部２０ｃによる上記ブレーキホールド制御の実行中にアクセルペダルが踏み込み操作されたときに、該踏み込み操作の開始から上記所定期間の間（上記所定時間が経過するまでの間）、上記第１乃至第３所定閾値を大きい側に変更する閾値変更処理を実行するようにしたので、上記ブレーキホールド制御の実行中に車両Ｃの運転者によりアクセルペダルが踏み込み操作されたときの車両Ｃの発進時における加速度の上昇が、運転者が急激なアクセル操作をしていないにも拘わらず、急激であったとしても、上記所定期間の間は、前後方向評価対象値が上記第１所定閾値よりも大きくなり難くなる。この結果、運転操作評価部２０ｅが、運転者の車両運転操作の評価（前後方向評価対象値に基づく評価）として否定的な評価を行い難くなり、これに伴い、表示制御部２０ｆが、第１表示部６３に白色表示させかつ第２表示部６４にバー表示させることが少なくなる。よって、上記ブレーキホールド制御の実行中にアクセルペダルが踏み込み操作されたときの車両Ｃの発進時における、運転者の車両運転操作の評価結果（前後方向評価対象値に基づく評価結果）が、運転者に対して不満感を与えるのを抑制することができる。
【００８１】
本発明は、上記実施形態に限られるものではなく、請求の範囲の主旨を逸脱しない範囲で代用が可能である。
【００８２】
例えば、上記実施形態では、前後方向評価対象値を、｜Ｊ／Ｇ｜としたが、前後方向評価対象値としては、車両Ｃの加速度Ｇの絶対値又は躍度Ｊの絶対値であってもよい。この場合、運転操作評価部２０ｅは、加速度・躍度算出部２０ｄから入力した加速度Ｇ又は躍度Ｊ（加速度Ｇは、加速度センサから入力してもよい）から前後方向評価対象値を得て、該前後方向評価対象値が所定閾値以下であるときには、運転者の車両運転操作の評価（前後方向評価対象値に基づく評価）として肯定的な評価を行う一方、上記前後方向評価対象値が上記所定閾値よりも大きいときには、否定的な評価を行うようにする。左右方向評価対象値も同様に、横加速度Ｇａ又は躍度Ｊａであってもよい。
【００８３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【００８４】
以下、本発明とは異なる参考形態を記載しておく。
【００８５】
（参考形態１）
図１０は、参考形態１を示し、この参考形態１では、上記実施形態の閾値変更部２０ｇに代えて、コントロールユニット２０内に、運転操作評価部２０ｅによる運転者の車両運転操作の評価結果（前後方向評価対象値に基づく評価結果）を変更する評価結果変更部２０ｈ（評価結果変更手段）が設けられる。その他の構成は、上記実施形態と同様である（図１０では、図２と同じ部分について同じ符号を付している）。
【００８６】
評価結果変更部２０ｈは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、運転操作評価部２０ｅが、運転者の車両運転操作の評価として否定的な評価を行ったとしても、肯定的な評価に変更する評価変更処理を実行する。そして、表示制御部２０ｆは、この変更後の評価結果をディスプレイ６０に表示させる。
【００８７】
評価結果変更部２０ｈは、上記所定の閾値変更実行条件と同様の所定の評価変更実行条件が成立する、車両Ｃの停車中において、ブレーキ装置制御部２０ｃによる上記ブレーキホールド制御の実行中にアクセルペダルが踏み込み操作されたときに、上記評価変更処理を実行するようにしてもよく、上記所定の評価変更実行条件の成立及び非成立に関係なく、上記評価変更処理を実行するようにしてもよい。
【００８８】
したがって、参考形態１においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【００８９】
（参考形態２）
図１１は、参考形態２を示し、この参考形態２では、上記実施形態の閾値変更部２０ｇに代えて、コントロールユニット２０内に、運転操作評価部２０ｅが運転者の車両運転操作の評価を行うことを禁止する評価禁止部２０ｉ（評価禁止手段）が設けられる。その他の構成は、上記実施形態と同様である（図１１では、図２と同じ部分について同じ符号を付している）。
【００９０】
評価禁止部２０ｉは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、運転操作評価部２０ｅが運転者の車両運転操作の評価を行うことを禁止する評価禁止処理を実行する。
【００９１】
評価禁止部２０ｉは、上記所定の閾値変更実行条件と同様の所定の評価禁止実行条件が成立する、車両Ｃの停車中において、ブレーキ装置制御部２０ｃによる上記ブレーキホールド制御の実行中にアクセルペダルが踏み込み操作されたときに、上記評価禁止処理を実行するようにしてもよく、上記所定の評価禁止実行条件の成立及び非成立に関係なく、上記評価禁止処理を実行するようにしてもよい。
【００９２】
評価禁止部２０ｉによる評価禁止処理の実行により、運転操作評価部２０ｅは、運転者の車両運転操作の評価を行わなくなるので、表示制御部２０ｆは、運転操作評価部２０ｅより評価結果を受信することがなく、ディスプレ６０には運転者の車両運転操作の評価結果が表示されない。
【００９３】
したがって、参考形態２においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【００９４】
（参考形態３）
図１２は、参考形態３を示し、この参考形態３では、上記実施形態の閾値変更部２０ｇに代えて、コントロールユニット２０内に、表示制御部２０ｆが運転操作評価部２０ｅによる運転者の車両運転操作の評価結果をディスプレイ６０に表示させることを禁止する表示禁止部２０ｊ（表示禁止手段）が設けられる。その他の構成は、上記実施形態と同様である（図１２では、図２と同じ部分について同じ符号を付している）。
【００９５】
表示禁止部２０ｊは、車両Ｃの停車中におけるブレーキ装置制御部２０ｃによる上記ブレーキホールド制御の実行中にアクセルペダルが踏み込み操作されたときに、該踏み込み操作の開始から上記所定期間の間、表示制御部２０ｆが運転操作評価部２０ｅによる運転者の車両運転操作の評価結果をディスプレイ６０に表示させることを禁止する表示禁止処理を実行する。
【００９６】
表示禁止部２０ｊは、上記所定の閾値変更実行条件と同様の所定の表示禁止実行条件が成立する、車両Ｃの停車中において、ブレーキ装置制御部２０ｃによる上記ブレーキホールド制御の実行中にアクセルペダルが踏み込み操作されたときに、上記表示禁止処理を実行するようにしてもよく、上記所定の表示禁止実行条件の成立及び非成立に関係なく、上記表示禁止処理を実行するようにしてもよい。
【００９７】
したがって、参考形態３においても、上記実施形態と同様に、上記ブレーキホールド制御の実行中にアクセルペダルが踏み込み操作されたときの車両Ｃの発進時における、運転者の車両運転操作の評価結果が、運転者に対して不満感を与えるのを抑制することができる。
【産業上の利用可能性】
【００９８】
本発明は、車両を運転する運転者の車両運転操作を評価して、その評価結果をディスプレイに表示するようにした、車両の制御装置に有用である。
【符号の説明】
【００９９】
Ｃ      車両
１      エンジン（駆動源）
２      自動変速機
１５    ブレーキ装置
２０    コントロールユニット（制御装置）
２０ａ  エンジン制御部（駆動源制御手段）
２０ｃ  ブレーキ装置制御部（ブレーキ装置制御手段）
２０ｅ  運転操作評価部（運転操作評価手段）
２０ｆ  表示制御部（表示制御手段）
２０ｇ  閾値変更部（閾値変更手段）
２５    勾配センサ（勾配検出手段）
６０    ディスプレイ
【手続補正２】
【補正対象書類名】特許請求の範囲
【補正対象項目名】全文
【補正方法】変更
【補正の内容】
【特許請求の範囲】
【請求項１】
車両の加速度に基づく評価対象値に基づいて、該車両の運転者の車両運転操作を評価する運転操作評価手段と、
上記運転操作評価手段による評価結果を、上記車両の車室内において運転者が視認可能な位置に設けられたディスプレイに表示させる表示制御手段と、
上記車両の停車中において、所定のブレーキホールド条件が成立したときに、該車両のブレーキペダルが非操作状態であっても、該車両の車輪を制動するブレーキ装置を制動状態に維持するブレーキホールド制御を実行するとともに、該ブレーキホールド制御の実行中に上記運転者により該車両のアクセルペダルが踏み込み操作されたときには、上記ブレーキ装置の制動状態を解除するブレーキ装置制御手段と、
上記アクセルペダルの踏み込み操作状態に応じて、上記車両を駆動する駆動源の作動を制御する駆動源制御手段とを備えた、車両の制御装置であって、
上記ブレーキ装置制御手段は、上記アクセルペダルの踏み込み操作の開始から上記ブレーキ装置の制動状態を解除し始めるように構成され、
上記ブレーキ装置制御手段による上記ブレーキ装置の制動状態の解除が略完了する時点で、上記車両に上記アクセルペダルの踏み込み操作による加速度が生じるようになっており、
上記運転操作評価手段は、上記評価対象値が所定閾値以下であるときには、上記運転者の車両運転操作の評価として肯定的な評価を行う一方、上記評価対象値が上記所定閾値よりも大きいときには、否定的な評価を行うように構成され、
上記車両の停車中における上記ブレーキ装置制御手段による上記ブレーキホールド制御の実行中に上記アクセルペダルが踏み込み操作されたときの上記車両の発進時に、該踏み込み操作の開始から所定期間の間、上記所定閾値を大きい側に変更する閾値変更処理を実行する閾値変更手段を更に備えていることを特徴とする車両の制御装置。
【請求項２】
請求項１記載の車両の制御装置において、
上記駆動源は、エンジンであり、
上記駆動源制御手段は、上記車両が停車していることを含む所定の自動停止条件が成立したときに、上記エンジンを自動停止させるとともに、上記エンジンが自動停止されている、上記車両の停車中において、上記ブレーキ装置制御手段により上記ブレーキホールド制御が実行された場合には、上記アクセルペダルが踏み込み操作されたときに、該エンジンを再始動させるように構成され、
上記閾値変更手段は、上記エンジンが自動停止されている、上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されていることを特徴とする車両の制御装置。
【請求項３】
請求項１又は２記載の車両の制御装置において、
上記車両は、自動変速機を有し、
上記閾値変更手段は、上記自動変速機が動力伝達状態にある、上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されていることを特徴とする車両の制御装置。
【請求項４】
請求項１〜３のいずれか１つに記載の車両の制御装置において、
上記閾値変更手段は、上記車両が停車している路面の勾配を検出する勾配検出手段により検出された登り勾配が所定値未満であるときの上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されていることを特徴とする車両の制御装置。
【請求項５】
請求項１〜４のいずれか１つ記載の車両の制御装置において、
上記閾値変更手段は、上記車両が停車している路面の勾配を検出する勾配検出手段により検出された降り勾配が、予め設定された設定値以上であるときの上記車両の停車中において、上記ブレーキ装置制御手段による上記ブレーキホールド制御の実行中に上記アクセルペダルが踏み込み操作されたときの上記車両の発進時に、上記閾値変更処理を実行するように構成されていることを特徴とする車両の制御装置。
【手続補正３】
【補正対象書類名】図面
【補正対象項目名】図２
【補正方法】変更
【補正の内容】
【図２】
2018039426.tif 000015
【手続補正４】
【補正対象書類名】図面
【補正対象項目名】図９
【補正方法】変更
【補正の内容】
【図９】
2018039426.tif 000016
【手続補正５】
【補正対象書類名】図面
【補正対象項目名】図１０
【補正方法】変更
【補正の内容】
【図１０】
2018039426.tif 000017
【手続補正６】
【補正対象書類名】図面
【補正対象項目名】図１１
【補正方法】変更
【補正の内容】
【図１１】
2018039426.tif 000018
【手続補正７】
【補正対象書類名】図面
【補正対象項目名】図１２
【補正方法】変更
【補正の内容】
【図１２】
2018039426.tif 000019